(57)【特許請求の範囲】
【請求項１】
枚葉の用紙を搬送する用紙搬送装置において、
外周面上に前記用紙を巻き付けて回転することにより、前記用紙を搬送するドラムと、
前記ドラムの外周面上の所定位置で前記用紙の表面を押圧して、前記用紙の裏面を前記ドラムの外周面に密着させる押圧ローラと、
前記ドラムに巻き付けられる前記用紙の表面又は裏面が吸着されながら摺動する吸着面を有し、前記用紙の幅方向の中央から幅方向の両端に向かって吸着力が低くなるように前記用紙の表面又は裏面を吸着して、前記吸着面上を摺動する前記用紙にバックテンションを付与するバックテンション付与手段と、
を備える用紙搬送装置。
【請求項２】
前記バックテンション付与手段は、
吸引室と、
前記吸着面に多数形成され、前記吸引室に連通される吸着孔と、
前記吸引室を吸引する吸引手段と、
を有し、前記吸着孔による前記吸着面の開口率が前記吸着面の幅方向の中央から幅方向の両端に向かって減少するように、前記吸着孔が前記吸着面に形成されて、前記吸着力が前記用紙の幅方向の中央から幅方向の両端に向かって低くなるように形成される請求項１に記載の用紙搬送装置。
【請求項３】
前記吸着面の幅方向の両端の近くに配置される前記吸着孔ほど開口面積が小さく形成される請求項２に記載の用紙搬送装置。
【請求項４】
前記吸着孔が拡縮可能に形成され、前記吸着孔の開口面積が調整可能である請求項３に記載の用紙搬送装置。
【請求項５】
前記吸着面の幅方向の中央から幅方向の両端に向かうほど前記吸着孔の配置密度が小さくなるように形成される請求項２に記載の用紙搬送装置。
【請求項６】
前記バックテンション付与手段は、
前記吸着面の幅に対応する幅を有する吸引室と、
前記吸着面の全面に均等に配置され、前記吸引室に連通される多数の吸着孔と、
前記吸引室の内部を幅方向に沿って複数の部屋に区分けする複数の仕切壁と、
前記各部屋を個別に吸引する吸引手段と、
を有し、前記各部屋を吸引する吸引力を個別に調整して、前記吸着力が調整される請求項１に記載の用紙搬送装置。
【請求項７】
前記吸引手段は、
前記各部屋に個別に連通される個別吸引管と、
前記各個別吸引管に個別に接続される個別吸引ポンプと、
前記各個別吸引管に個別に設けられ、開口量が調整可能な個別バルブと、
を備え、前記各個別バルブの前記開口量を個別に調整して、前記吸引力が調整される請求項６に記載の用紙搬送装置。
【請求項８】
前記吸引手段は、
前記各部屋に個別に連通される個別吸引管と、
前記各個別吸引管が接続される共通吸引管と、
前記共通吸引管に接続される共通吸引ポンプと、
前記各個別吸引管に個別に設けられ、開口量が調整可能な個別バルブと、
を備え、前記各個別バルブの前記開口量を個別に調整して、前記吸引力が調整される請求項６に記載の用紙搬送装置。
【請求項９】
前記用紙の情報を取得する用紙情報取得手段と、
前記用紙情報取得手段で取得された前記用紙の情報に基づいて前記吸引手段を制御する制御手段と、
を更に有する請求項６から８のいずれか１項に記載の用紙搬送装置。
【請求項１０】
前記用紙情報取得手段は、前記用紙の種類、厚さ、透気度、印刷済み用紙か否かの少なくとも１つの情報を取得する請求項９に記載の用紙搬送装置。
【請求項１１】
前記バックテンション付与手段は、
前記吸着面の幅に対応する幅を有する吸引室と、
前記吸着面の全面に均等に配置され、前記吸引室に連通される多数の吸着孔と、
前記吸引室の内部を幅方向に沿って複数の部屋に区分けする複数の仕切壁と、
前記各仕切壁に形成され、隣り合う前記部屋を連通する連通口と、
前記各部屋を個別に吸引する吸引手段と、
を有し、前記吸着面の幅方向の両端の近くに配置される前記仕切壁ほど前記連通口の開口面積が小さく形成される請求項１に記載の用紙搬送装置。
【請求項１２】
前記連通口が拡縮可能に形成され、前記連通口の開口面積が調整可能である請求項１１に記載の用紙搬送装置。
【請求項１３】
前記バックテンション付与手段は、前記用紙が前記ドラムと前記押圧ローラとの間に進入する直前の位置で前記用紙の表面を吸着して、前記用紙にバックテンションを付与する請求項１から１２のいずれか１項に記載の用紙搬送装置。
【請求項１４】
請求項１から１３のいずれか１項に記載の用紙搬送装置と、
前記ドラムによって搬送される前記用紙にインク滴を吐出して、前記用紙の表面に画像を記録するインクジェットヘッドと、
を有するインクジェット記録装置。
【発明の詳細な説明】
【技術分野】
【０００１】
本発明は、用紙搬送装置及びインクジェット記録装置に係り、特に用紙をドラムで搬送する技術に関する。
【背景技術】
【０００２】
枚葉紙に印刷する印刷装置の用紙搬送方式として、ドラム搬送方式が知られている。ドラム搬送方式では、ドラムの周面に用紙（枚葉紙）を巻き付け、ドラムを軸周りに回転させることにより、用紙を搬送する。
【０００３】
ドラム搬送方式を採用する印刷装置において、高品質な画像を印刷するためには、シワや浮きなどを発生させずに、用紙を搬送することが必要とされる。特に、インクジェット方式で印刷する印刷装置では、用紙に浮きやシワが発生すると、印刷品位を低下させるだけでなく、浮いた用紙によってヘッドのノズル面が擦れてしまうという問題がある。
【０００４】
特許文献１には、ドラム搬送方式を採用するインクジェット記録装置において、用紙に浮きやシワが発生するのを防止するために、ドラムに用紙を巻き付ける際、用紙にバックテンション（用紙の搬送方向と逆方向のテンション）を付与しながら巻き付ける方法が記載されている。この方法によれば、用紙が伸ばされながらドラムに巻き付けられるため、シワや浮きの発生を抑制することができる。
【０００５】
また、特許文献２から５には、用紙にバックテンションを付与する場合において、用紙の種類や厚さ等に応じて、付与するバックテンションを変える技術が記載されている。
【先行技術文献】
【特許文献】
【０００６】
【特許文献１】特開2009-220954号公報
【特許文献２】特開2009-279870号公報
【特許文献３】特開平04-018381号公報
【特許文献４】特開平11-314417号公報
【特許文献５】特開2011-025498号公報
【発明の概要】
【発明が解決しようとする課題】
【０００７】
ところで、従来の用紙搬送装置では、用紙にバックテンションを付与する場合、用紙の幅方向の全域で均一なテンションが作用するようにバックテンションを付与している。
【０００８】
しかしながら、このようなバックテンションの付与方法では、シワを後方に伸ばすことはできても、分散させることができないため、極端にカックルが多い紙などを対象とした場合に、シワが後方に溜まってしまうという問題がある。
【０００９】
本発明は、このような事情に鑑みてなされたもので、シワや浮きを生じさせずに搬送することができる用紙搬送装置及びインクジェット記録装置を提供することを目的とする。
【課題を解決するための手段】
【００１０】
課題を解決するための手段は、次のとおりである。
【００１１】
用紙搬送装置の第１の態様は、枚葉の用紙を搬送する用紙搬送装置において、外周面上に用紙を巻き付けて回転することにより、用紙を搬送するドラムと、ドラムの外周面上の所定位置で用紙の表面を押圧して、用紙の裏面をドラムの外周面に密着させる押圧ローラと、ドラムに巻き付けられる用紙の表面又は裏面を吸着する吸着面を有し、用紙の幅方向の中央から幅方向の両端に向かって吸着力が低くなるように用紙の表面又は裏面を吸着して、用紙にバックテンションを付与するバックテンション付与手段と、を備える態様である。
【００１２】
本態様によれば、ドラムに巻き付けられる用紙の表面又は裏面を吸着して、ドラムに巻き付けられる用紙にバックテンションを付与するバックテンション付与手段が備えられる。バックテンション付与手段は吸着面を有し、この吸着面で用紙の表面又は裏面を吸着して、用紙にバックテンションを付与する。この際、用紙の幅方向の中央から幅方向の両端に向かって吸着力が低くなるように用紙の表面又は裏面を吸着する。これにより、シワが幅方向に分散され、用紙の後端にシワが溜まるのを防止できる。
【００１３】
用紙搬送装置の第２の態様は、上記第１の態様において、バックテンション付与手段は、吸引室と、吸着面に多数形成され、吸引室に連通される吸着孔と、吸引室を吸引する吸引手段と、を有し、吸着孔による吸着面の開口率が吸着面の幅方向の中央から幅方向の両端に向かって減少するように、吸着孔が吸着面に形成されて、吸着力が用紙の幅方向の中央から幅方向の両端に向かって低くなるように形成される態様である。
【００１４】
本態様によれば、用紙は吸着面に形成された多数の吸着孔から吸引されて、吸着面に吸着される。吸着面は、幅方向の中央から幅方向の両端に向かって開口率（開口している面積の割合）が減少するように、吸着孔が形成される。これにより、用紙の幅方向の中央から幅方向の両端に向かって吸着力が低くなるように形成される。
【００１５】
用紙搬送装置の第３の態様は、上記第２の態様において、吸着面の幅方向の両端の近くに配置される吸着孔ほど開口面積が小さく形成される態様である。
【００１６】
本態様によれば、吸着面の幅方向の両端の近くに配置される吸着孔ほど開口面積が小さくなるようにして、吸着孔が吸着面に形成される。すなわち、吸着面には、幅方向の両端に近づくほど径の小さい吸着孔が形成される。これにより、吸着孔による吸着面の開口率が、幅方向の中央から幅方向の両端に向かって減少するように形成される。
【００１７】
用紙搬送装置の第４の態様は、上記第３の態様において、吸着孔が拡縮可能に形成され、吸着孔の開口面積が調整可能である態様である。
【００１８】
本態様によれば、吸着孔が拡縮可能に形成される。これにより、吸着孔の開口面積をコントロールすることができ、用紙に応じて吸着力をコントロールすることができる。
【００１９】
用紙搬送装置の第５の態様は、上記第２の態様において、吸着面の幅方向の中央から幅方向の両端に向かうほど吸着孔の配置密度が小さくなるように形成される態様である。
【００２０】
本態様によれば、幅方向の中央から幅方向の両端に向かうほど吸着孔の配置密度が小さくなるようにして、吸着孔が吸着面に形成される。すなわち、幅方向の中央から幅方向の両端に向かうほど隣り合う吸着孔の間隔が粗に形成される（幅方向の中央に向かうほど隣り合う吸着孔の間隔が密に形成される。）。
【００２１】
用紙搬送装置の第６の態様は、上記第１の態様において、バックテンション付与手段は、吸着面の幅に対応する幅を有する吸引室と、吸着面の全面に均等に配置され、吸引室に連通される多数の吸着孔と、吸引室の内部を幅方向に沿って複数の部屋に区分けする複数の仕切壁と、各部屋を個別に吸引する吸引手段と、を有し、各部屋を吸引する吸引力を個別に調整して、吸着力が調整される態様である。
【００２２】
本態様によれば、吸着面の全面に均等に吸着孔が配置され、この吸着孔が連通される吸引室を吸引することにより、用紙が吸着面に吸着される。吸引室は、複数の仕切壁によって、内部が複数の部屋に区分けされており、各部屋が吸引手段によって個別に吸引される。したがって、各部屋の吸引力を個別に調整することにより、幅方向の各領域での吸着力を調整することができる。
【００２３】
用紙搬送装置の第７の態様は、上記第６の態様において、吸引手段は、各部屋に個別に連通される個別吸引管と、各個別吸引管に個別に接続される個別吸引ポンプと、各個別吸引管に個別に設けられ、開口量が調整可能な個別バルブと、を備え、各個別バルブの開口量を個別に調整して、吸引力が調整される態様である。
【００２４】
本態様によれば、仕切壁によって区分けされた各部屋に個別に個別吸引管が連通される。そして、各個別吸引管に個別吸引ポンプと個別バルブとが個別に設けられる。個別吸引ポンプは、一定の駆動力で駆動され、個別バルブの開口量を個別に調整することにより、各部屋の吸引力が調整される。
【００２５】
用紙搬送装置の第８の態様は、上記第６の態様において、吸引手段は、各部屋に個別に連通される個別吸引管と、各個別吸引管が接続される共通吸引管と、共通吸引管に接続される共通吸引ポンプと、各個別吸引管に個別に設けられ、開口量が調整可能な個別バルブと、を備え、各個別バルブの開口量を個別に調整して、吸引力が調整される態様である。
【００２６】
本態様によれば、仕切壁によって区分けされた各部屋に個別に個別吸引管が連通される。各個別吸引管は、共通吸引管を介して共通の共通吸引ポンプに接続される。各個別吸引管には、個別に個別バルブが設けられ、この個別バルブの開口量を個別に調整することにより、各部屋の吸引力が調整される。
【００２７】
用紙搬送装置の第９の態様は、上記第６から８のいずれか１の態様において、用紙の情報を取得する用紙情報取得手段と、用紙情報取得手段で取得された用紙の情報に基づいて吸引手段を制御する制御手段と、を更に有する態様である。
【００２８】
本態様によれば、用紙の情報に基づいて吸引手段が制御される。これにより、用紙に応じた吸着力で用紙を吸着することができ、用紙ごとに適切なバックテンションを付与することができる。
【００２９】
用紙搬送装置の第１０の態様は、上記第９の態様において、用紙情報取得手段は、用紙の種類、厚さ、透気度、印刷済み用紙か否かの少なくとも１つの情報を取得する態様である。
【００３０】
本態様によれば、用紙の種類、厚さ、透気度、印刷済み用紙か否か（両面印刷する場合における裏面側の印刷か否か）の少なくとも１つの情報に基づいて、吸引手段が制御される。これにより、用紙に応じた吸着力で用紙を吸着することができ、用紙ごとに適切なバックテンションを付与することができる。
【００３１】
用紙搬送装置の第１１の態様は、上記第１の態様において、バックテンション付与手段は、吸着面の幅に対応する幅を有する吸引室と、吸着面の全面に均等に配置され、吸引室に連通される多数の吸着孔と、吸引室の内部を幅方向に沿って複数の部屋に区分けする複数の仕切壁と、各仕切壁に形成され、隣り合う部屋を連通する連通口と、各部屋を個別に吸引する吸引手段と、を有し、吸着面の幅方向の両端の近くに配置される仕切壁ほど連通口の開口面積が小さく形成される態様である。
【００３２】
本態様によれば、吸着面の全面に均等に吸着孔が配置され、この吸着孔が連通される吸引室を吸引することにより、用紙が吸着面に吸着される。吸引室は、複数の仕切壁によって、内部が複数の部屋に区分けされており、各仕切壁に形成された連通口を介して隣り合う部屋が連通される。したがって、一つの部屋（たとえば、中央の部屋）を吸引すれば、各部屋が吸引される。各仕切壁に形成される連通口は、吸着面の幅方向の両端の近くに配置される仕切壁の連通口ほど開口面積が小さく形成される。これにより、幅方向の中央から幅方向の両端に近づくほど吸着力が弱くなるように吸着面が形成される。
【００３３】
用紙搬送装置の第１２の態様は、上記第１１の態様において、連通口が拡縮可能に形成され、連通口の開口面積が調整可能である態様である。
【００３４】
本態様によれば、各仕切壁に形成される連通口が拡縮可能に形成される。したがって、各連通口の開口面積を調整すれば、各部屋の吸引力を調整でき、吸着面の吸着力を調整することができる。これにより、用紙に応じて吸着力を調整することができる。
【００３５】
用紙搬送装置の第１３の態様は、上記第１から１２のいずれか１の態様において、バックテンション付与手段は、用紙がドラムと押圧ローラとの間に進入する直前の位置で用紙の表面を吸着して、用紙にバックテンションを付与する態様である。
【００３６】
本態様によれば、用紙がドラムと押圧ローラとの間に進入する直前の位置で用紙の表面が吸着されて、用紙にバックテンションが付与される。用紙がドラムと押圧ローラとの間に進入する直前の位置で用紙を吸着することにより、用紙がドラムに巻き掛けられる直前までテンションを与えることができ、より確実にシワや浮きの発生を防止することができる。また、印刷済みの用紙の場合には、表面側を吸引することにより、印刷済みの画像が傷つくのを防止することができる。
【００３７】
インクジェットヘッド記録装置の一態様は、上記第１から１３のいずれか１の態様の用紙搬送装置と、ドラムによって搬送される用紙にインク滴を吐出して、用紙の表面に画像を記録するインクジェットヘッドと、を有する態様である。
【００３８】
本態様によれば、ドラムによって搬送される用紙にインク滴が吐出されて、用紙の表面に画像が記録される。用紙は、シワや浮きがない状態で搬送されるので、高品質な画像を記録することができる。また、ヘッドに用紙が接触することがないので、安定して画像の記録処理を行うことができる。
【発明の効果】
【００３９】
本発明によれば、シワや浮きを生じさせることなく用紙を搬送することができる。これにより、高品質な画像を記録することができる。
【図面の簡単な説明】
【００４０】
【図１】インクジェット記録装置の一実施形態を示す全体構成図
【図２】インクジェット記録装置の制御系の概略構成を示すブロック図
【図３】画像記録部の用紙搬送機構（用紙搬送装置）の概略構成を示す側面図
【図４】用紙搬送機構の概略構成を示す斜視図
【図５】用紙搬送機構の下面図
【図６】バックテンション付与装置の概略構成図
【図７】用紙に作用させる吸着力の分布を示すグラフ
【図８】バックテンションの作用の概念図
【図９】吸着面の他の形態（変形例）を示す図
【図１０】吸着面の他の形態（変形例）を示す図
【図１１】吸着面の他の形態（変形例）を示す図
【図１２】吸着面の他の形態（変形例）を示す図
【図１３】吸着面の他の形態（変形例）を示す図
【図１４】吸着面の他の形態（変形例）を示す図
【図１５】吸着面の他の形態（変形例）を示す図
【図１６】用紙ガイドの他の形態（変形例）を示す図
【図１７】画像記録部の用紙搬送機構の第２の実施の形態の下面図
【図１８】第２の実施の形態の用紙搬送機構に組み込まれるバックテンション付与装置の概略構成図
【図１９】バックテンション付与装置の他の形態（変形例）を示す図
【図２０】用紙の種類等に応じて用紙に作用させる吸着力をコントロールするためのシステムの構成図
【図２１】第２の実施の形態の用紙搬送機構に組み込まれるバックテンション付与装置の概略構成図
【発明を実施するための形態】
【００４１】
以下、添付図面に従って本発明の好ましい実施の形態について詳説する。
【００４２】
《インクジェット記録装置の全体構成》
図１は本発明に係るインクジェット記録装置の一実施形態を示す全体構成図である。
【００４３】
このインクジェット記録装置１０は、枚葉の用紙Ｐに水性インク（水及び水に可溶な溶媒に染料、顔料などの色材を溶解又は分散させたインク）を用いてインクジェット方式で印刷する装置であり、用紙Ｐを給紙する給紙部２０と、用紙Ｐの表面（印刷面）に所定の処理液を塗布する処理液塗布部３０と、用紙Ｐの印刷面にシアン（Ｃ）、マゼンタ（Ｍ）、イエロ（Ｙ）、クロ（Ｋ）の各色のインク滴をインクジェットヘッドで打滴して、カラー画像を描画する画像記録部４０と、用紙Ｐに打滴されたインク滴を乾燥させるインク乾燥部５０と、用紙Ｐに記録された画像を定着させる定着部６０と、用紙Ｐを回収する回収部７０とを備えて構成される。
【００４４】
処理液塗布部３０、画像記録部４０、インク乾燥部５０、定着部６０の各部には、それぞれ用紙Ｐの搬送手段として、搬送ドラム３１、４１、５１、６１が備えられる。用紙Ｐは、この搬送ドラム３１、４１、５１、６１によって、処理液塗布部３０、画像記録部４０、インク乾燥部５０、定着部６０の各部を搬送される。
【００４５】
各搬送ドラム３１、４１、５１、６１は、円筒状に形成され、印刷する用紙Ｐの用紙幅に対応して形成される。したがって、異なるサイズの用紙Ｐに印刷する場合は、最大サイズの用紙Ｐの用紙幅に対応して形成される。
【００４６】
各搬送ドラム３１、４１、５１、６１は、図示しないモータに駆動されて回転する（図１において、反時計回りに回転する。）。用紙Ｐは、各搬送ドラム３１、４１、５１、６１の外周面に巻き付けられて搬送される。
【００４７】
各搬送ドラム３１、４１、５１、６１の周面には、グリッパが備えられる。用紙Ｐは、このグリッパに先端部を把持されて搬送される。本例では、各搬送ドラム３１、４１、５１、６１の周面の２箇所にグリッパＧが設置される。グリッパＧは、１８０°間隔で設置される。これにより、１回の回転で２枚の用紙を搬送することができる。
【００４８】
また、各搬送ドラム３１、４１、５１、６１には、外周面上に巻き付けられた用紙Ｐを吸着保持する吸着保持機構が備えられる。本例では、空気圧（負圧）を用いて、用紙Ｐを外周面上に吸着保持する。このため、各搬送ドラム３１、４１、５１、６１の外周面には、多数の吸着孔が形成される。用紙Ｐは、この吸着孔から裏面を吸引されて、各搬送ドラム３１、４１、５１、６１の外周面上に吸着保持される。吸着保持機構は、静電気を利用した方式（いわゆる静電吸着方式）を採用することもできる。
【００４９】
処理液塗布部３０と画像記録部４０の間、画像記録部４０とインク乾燥部５０の間、インク乾燥部５０と定着部６０の間には、それぞれ渡し胴（回転搬送手段）８０、９０、１００が配置される。用紙Ｐは、この渡し胴８０、９０、１００によって、各部の間を搬送される。
【００５０】
各渡し胴８０、９０、１００は、円筒状の枠体で構成され、用紙幅に対応して形成される。各渡し胴８０、９０、１００は、図示しないモータに駆動されて回転する（図１において、時計回りに回転する。）。
【００５１】
各渡し胴８０、９０、１００の周面には、グリッパＧが備えられる。用紙Ｐは、このグリッパＧに先端部を把持されて搬送される。本例では、各渡し胴８０、９０、１００の外周部２箇所にグリッパＧが設置される。グリッパＧは、１８０°間隔で設置される。これにより、１回の回転で２枚の用紙を搬送することができる。
【００５２】
各渡し胴８０、９０、１００の下部には、用紙Ｐの搬送経路に沿って円弧状のガイド板８２、９２、１０２が配設される。渡し胴８０、９０、１００によって搬送される用紙Ｐは、このガイド板８２、９２、１０２に裏面（印刷面の反対側の面）をガイドされながら搬送される。
【００５３】
また、各渡し胴８０、９０、１００の内部には、渡し胴８０によって搬送される用紙Ｐに向けて熱風を吹き出すドライヤ８４、９４、１０４が設置される（本例では、用紙Ｐの搬送経路に沿って３台設置している。）。各渡し胴８０、９０、１００によって搬送される用紙Ｐは、その搬送過程でドライヤ８４、９４、１０４から吹き出された熱風が印刷面に吹き当てられる。これにより、各渡し胴８０、９０、１００による搬送過程で用紙Ｐを乾燥処理することができる。
【００５４】
なお、ドライヤ８４、９４、１０４は、熱風を吹き出して加熱する構成に代えて、赤外線ヒータ等から熱を放射して加熱する構成とすることもできる（いわゆる輻射による加熱）。
【００５５】
給紙部２０から給紙された用紙Ｐは、搬送ドラム３１→渡し胴８０→搬送ドラム４１→渡し胴９０→搬送ドラム５１→渡し胴１００→搬送ドラム６１の順で搬送され、最後に回収部７０で回収される。この給紙部２０から回収部７０で回収されるまでの間に用紙Ｐは所要の処理が施されて、印刷面に画像が記録される。
【００５６】
以下、本実施の形態のインクジェット記録装置１０の各部の構成について詳説する。
【００５７】
〈給紙部〉
給紙部２０は、枚葉の用紙Ｐを１枚ずつ周期的に給紙する。この給紙部２０は、主として、給紙装置２１と、給紙トレイ２２と、渡し胴２３とで構成される。
【００５８】
給紙装置２１は、図示しないマガジンにスタックされた用紙Ｐを上側から順に１枚ずつ給紙トレイ２２に給紙する。
【００５９】
給紙トレイ２２は、給紙装置２１から給紙された用紙Ｐを渡し胴２３に向けて送り出す。
【００６０】
渡し胴２３は、給紙トレイ２２から送り出された用紙Ｐを受け取り、回転して、処理液塗布部３０の搬送ドラム３１に受け渡す。
【００６１】
用紙Ｐは、特に限定されないが、一般のオフセット印刷などで使用される汎用の印刷用紙（いわゆる上質紙、コート紙、アート紙などのセルロースを主体とする用紙）を用いることができる。本例では塗工紙が用いられる。塗工紙は、一般に表面処理されていない上質紙や中性紙等の表面にコート材を塗布してコート層を設けたものである。具体的には、アート紙、コート紙、軽量コート紙、微塗工紙などが好適に用いられる。
【００６２】
汎用の印刷用紙は、インクジェット方式で印刷すると、滲み等が発生し、画像の品位が損なわれる。そこで、このような不具合を防止するために、本実施の形態のインクジェット記録装置１０では、次の処理液塗布部３０において、用紙Ｐの印刷面に所定の処理液を塗布する。
【００６３】
〈処理液塗布部〉
処理液塗布部３０は、用紙Ｐの印刷面に所定の処理液を塗布する。この処理液塗布部３０は、主として、用紙Ｐを搬送する搬送ドラム（以下、「処理液塗布ドラム」という。）３１と、その処理液塗布ドラム３１によって搬送される用紙Ｐの印刷面に所定の処理液を塗布する塗布装置３２とで構成される。
【００６４】
処理液塗布ドラム３１は、給紙部２０の渡し胴２３から用紙Ｐを受け取り（グリッパＧで用紙Ｐの先端を把持して受け取る。）、回転して用紙Ｐを所定の搬送経路に沿って搬送する。
【００６５】
塗布装置３２は、処理液塗布ドラム３１によって搬送される用紙Ｐの印刷面に所定の処理液をローラ塗布する。すなわち、周面に処理液が付与された塗布ローラを処理液塗布ドラム３１によって搬送される用紙Ｐの印刷面に押圧当接させて、用紙Ｐの印刷面に処理液を塗布する。処理液は、一定の厚さで塗布される。
【００６６】
塗布装置３２で塗布する処理液は、インク組成物中の成分を凝集させる凝集剤を含む液体で構成される。
【００６７】
凝集剤としては、インク組成物のpHを変化させることができる化合物であっても、多価金属塩であっても、ポリアリルアミン類であってもよい。
【００６８】
pHを低下させ得る化合物としては、水溶性の高い酸性物質（リン酸、シュウ酸、マロン酸、クエン酸、若しくは、これらの化合物の誘導体、又は、これらの塩等）が好適に挙げられる。酸性物質は、１種単独で用いてもよく、また、２種以上を併用してもよい。これにより、凝集性を高め、インク全体を固定化することができる。
【００６９】
また、インク組成物のpH（２５℃）は、８．０以上であって、処理液のpH（２５℃）は、０．５〜４の範囲が好ましい。これにより、画像濃度、解像度及びインクジェット記録の高速化を図ることができる。
【００７０】
また、処理液には、添加剤を含有することができる。たとえば、乾燥防止剤（湿潤剤）、褪色防止剤、乳化安定剤、浸透促進剤、紫外線吸収剤、防腐剤、防黴剤、pH調整剤、表面張力調整剤、消泡剤、粘度調整剤、分散剤、分散安定剤、防錆剤、キレート剤等の公知の添加剤を含有することができる。
【００７１】
このような処理液を用紙Ｐの印刷面に事前に塗布して印刷することにより、フェザリングやブリーディング等の発生を防止でき、一般の印刷用紙を使用しても、高品位な印刷を行うことが可能になる。
【００７２】
以上の構成の処理液塗布部３０において、用紙Ｐは、処理液塗布ドラム３１に保持されて、所定の搬送経路を搬送される。そして、その搬送過程で塗布装置３２によって印刷面に処理液が塗布される。
【００７３】
印刷面に処理液が塗布された用紙Ｐは、その後、所定位置で処理液塗布ドラム３１から渡し胴８０に受け渡される。そして、渡し胴８０によって所定の搬送経路を搬送されて、画像記録部４０の搬送ドラム４１に受け渡される。
【００７４】
ここで、上記のように、渡し胴８０には、その内部にドライヤ８４が設置されており、ガイド板８２に向けて熱風が吹き出されている。用紙Ｐは、この渡し胴８０によって処理液塗布部３０から画像記録部４０に搬送される過程で印刷面に熱風が吹き当てられて、印刷面に塗布された処理液が乾燥される（処理液中の溶媒成分が蒸発除去される。）。
【００７５】
〈画像記録部〉
画像記録部４０は、用紙Ｐの印刷面にＣ、Ｍ、Ｙ、Ｋの各色のインク滴を打滴して、用紙Ｐの印刷面にカラー画像を描画する。この画像記録部４０は、主として、用紙Ｐを搬送する搬送ドラム（以下、「画像記録ドラム」という。）４１と、用紙Ｐの印刷面を押圧して、用紙Ｐの裏面を画像記録ドラム４１の周面に密着させる押圧ローラ４２と、用紙Ｐの浮きを検出する用紙浮き検出センサ４３と、用紙ＰにＣ、Ｍ、Ｙ、Ｋの各色のインク滴を吐出して、画像を描画するインクジェットヘッド４４Ｃ、４４Ｍ、４４Ｙ、４４Ｋと、画像記録ドラム４１に巻き掛けられる用紙Ｐにバックテンションを付与するバックテンション付与装置（バックテンション付与手段）３００とを備えて構成される。
【００７６】
画像記録ドラム４１は、渡し胴８０から用紙Ｐを受け取り（グリッパＧで用紙Ｐの先端を把持して受け取る。）、回転して用紙Ｐを所定の搬送経路に沿って搬送する。
【００７７】
押圧ローラ４２は、画像記録ドラム４１の幅とほぼ同じ幅を有するゴムローラ（少なくとも外周部がゴム（弾性体）で構成されるローラ）で構成され、画像記録ドラム４１の用紙受取位置（渡し胴８０から用紙Ｐを受け取る位置）の近傍に配置される。渡し胴８０から画像記録ドラム４１に受け渡された用紙Ｐは、この押圧ローラ４２によって表面を押圧されることにより、裏面が画像記録ドラム４１の外周面に密着させて巻き付けられる。
【００７８】
用紙浮き検出センサ４３は、押圧ローラ４２を通過した用紙Ｐの浮きを検出する（画像記録ドラム４１の外周面からの一定以上の浮きを検出する。）。この用紙浮き検出センサ４３は、レーザ光を投光するレーザ投光器４３Ａと、そのレーザ光を受光するレーザ受光器４３Ｂとで構成される。
【００７９】
レーザ投光器４３Ａは、画像記録ドラム４１の一端から他端に向けて画像記録ドラム４１の軸と平行なレーザ光を画像記録ドラム４１の外周面から所定高さの位置（浮きの許容範囲の上限の高さの位置）に投光する。
【００８０】
レーザ受光器４３Ｂは、画像記録ドラム４１による用紙Ｐの走行経路を挟んでレーザ投光器４３Ａと対向して配置され、レーザ投光器４３Ａから投光されたレーザ光を受光する。
【００８１】
画像記録ドラム４１によって搬送される用紙Ｐに許容値以上の浮きが生じていると、レーザ投光器４３Ａから投光されたレーザ光が用紙Ｐに遮光される。この結果、レーザ受光器４３Ｂで受光されるレーザ光の受光量が低下する。用紙浮き検出センサ４３は、このレーザ受光器４３Ｂで受光されるレーザ光の受光量を検出して、用紙Ｐの浮きを検出する。すなわち、レーザ受光器４３Ｂで受光されたレーザ光の受光量と閾値とを比較して、閾値以下の場合に浮き（許容値以上の浮き）が発生したと判定する。
【００８２】
許容値以上の浮きが検出されると、画像記録ドラム４１の回転が停止され、用紙Ｐの搬送が停止される。
【００８３】
なお、用紙浮き検出センサ４３は、レーザ投光器４３Ａから投光するレーザ光の高さ（画像記録ドラム４１の外周面からの高さ）を調整することができるように構成される。これにより、浮きの許容範囲を任意に設定することができる。
【００８４】
４台のインクジェットヘッド４４Ｃ、４４Ｍ、４４Ｙ、４４Ｋは、用紙浮き検出センサ４３の後段に配され、用紙Ｐの搬送方向に沿って一定の間隔で配置される。このインクジェットヘッド４４Ｃ、４４Ｍ、４４Ｙ、４４Ｋは、用紙幅に対応したラインヘッドで構成され、その下面（画像記録ドラム４１の外周面と対向する面）にノズル面が形成される。ノズル面には、用紙Ｐの搬送方向と直交する方向に一定のピッチでノズルが配置される（ノズル列）。各インクジェットヘッド４４Ｃ、４４Ｍ、４４Ｙ、４４Ｋは、このノズルから画像記録ドラム４１に向けてインク滴を吐出する。
【００８５】
本実施の形態のインクジェット記録装置１０で使用するインクは、水性紫外線硬化型インクであり、顔料、ポリマー粒子及び活性エネルギー線により重合する水溶性の重合性化合物を含有する。水性紫外線硬化型インクは、紫外線を照射することで硬化可能であり、耐察性に優れ膜強度が高いという性質を有する。
【００８６】
顔料は、その表面の少なくとも一部がポリマー分散剤で被覆された水分散性顔料が用いられる。
【００８７】
ポリマー分散剤は、酸価が２５〜１０００(KOHmg/g)のポリマー分散剤が用いられる。自己分散性の安定性が良好、かつ、処理液が接触したときの凝集性が良好になる。
【００８８】
ポリマー粒子は、酸価が２０〜５０(KOHmg/g)の自己分散性ポリマー粒子が用いられる。自己分散性の安定性が良好、かつ、処理液が接触したときの凝集性が良好になる。
【００８９】
重合性化合物としては、凝集剤と顔料、ポリマー粒子との反応を妨げない点でノニオン性又はカチオン性の重合性化合物が好ましく、水に対する溶解度が１０質量%以上（更には１５質量%以上）の重合性化合物を用いることが好ましい。
【００９０】
また、インクは、活性エネルギー線により重合性化合物の重合を開始する開始剤を含有する。開始剤は、活性エネルギー線により重合反応を開始し得る化合物を適宜選択して含有することができ、たとえば、放射線若しくは光又は電子線により活性種（ラジカル、酸、塩基など）を発生する開始剤（たとえば、光重合開始剤等）を用いることができる。なお、開始剤は処理液に含有させることもでき、インクと処理液の少なくとも一方に含有させればよい。
【００９１】
また、インクは水を５０〜７０質量%含有する。また、インクには添加剤を含有することができる。たとえば、水溶性有機溶媒や乾燥防止剤（湿潤剤）、褪色防止剤、乳化安定剤、浸透促進剤、紫外線吸収剤、防腐剤、防黴剤、pH調整剤、表面張力調整剤、消泡剤、粘度調整剤、分散剤、分散安定剤、防錆剤、キレート剤等の公知の添加剤を含有することができる。
【００９２】
バックテンション付与装置３００は、用紙Ｐが押圧ローラ４２によって押圧される直前の位置（用紙Ｐが画像記録ドラム４１と押圧ローラ４２との間に進入する直前の位置）で用紙Ｐの表面を吸着して、画像記録ドラム４１に巻き掛けられる用紙Ｐにバックテンションを付与する。このバックテンション付与装置３００は、用紙Ｐの表面を幅方向にわたって吸着するための用紙ガイド３１０を備える。用紙ガイド３１０は、用紙Ｐの表面が吸着される吸着面を備え、この吸着面に形成された多数の吸着孔から吸引して、用紙Ｐを吸着する。用紙Ｐは、表面を吸着面に吸着されることにより、表面を吸着面に摺られながら搬送される。これにより、バックテンションが付与される。そして、このようにバックテンションを付与することにより、用紙Ｐが画像記録ドラム４１に巻き掛けられる際、用紙Ｐが伸ばされながら画像記録ドラム４１に巻き付けられる。これにより、シワや浮きを生じさせることなく、用紙Ｐを画像記録ドラム４１の周面に巻き付けることができる。また、用紙Ｐがピンと張られながら画像記録ドラム４１に巻き付けられるので、シワや浮きを生じさせることなく、用紙Ｐを画像記録ドラム４１の周面に巻き付けることができる。
【００９３】
なお、本実施の形態のバックテンション付与装置３００では、用紙Ｐを吸着面で吸着する際、用紙Ｐの幅方向に均一な吸着力で吸着するのではなく、幅方向の中央から幅方向の両端に向かって吸着力が低くなるようにして、用紙Ｐを吸着する。これにより、用紙Ｐに生じている変形を単に後方に伸ばすのではなく、幅方向に分散させながら伸ばすことができ、より効果的にシワや浮きの発生を防止することができる。なお、この点については、バックテンション付与装置３００の具体的な構成とともに、のちに詳述する。
【００９４】
以上の構成の画像記録部４０において、用紙Ｐは、画像記録ドラム４１によって所定の搬送経路を搬送される。渡し胴８０から画像記録ドラム４１に受け渡された用紙Ｐは、バックテンション付与装置３００によってバックテンションが付与されながら押圧ローラ４２でニップされて、画像記録ドラム４１の外周面に密着される。次いで、用紙浮き検出センサ４３によって、浮きの有無が検出され、その後、各インクジェットヘッド４４Ｃ、４４Ｍ、４４Ｙ、４４ＫからＣ、Ｍ、Ｙ、Ｋの各色のインク滴が印刷面に打滴されて、印刷面にカラー画像が描画される。
【００９５】
なお、用紙Ｐの浮きが検出された場合は、搬送が停止される。これにより、浮いた用紙Ｐが、インクジェットヘッド４４Ｃ、４４Ｍ、４４Ｙ、４４Ｋのノズル面に接触するのを防止できる。
【００９６】
上記のように、本例のインクジェット記録装置１０では、各色ともに水性インクが使用される。このような水性インクを用いた場合であっても、上記のように、用紙Ｐには処理液が塗布されているので、一般の印刷用紙を用いた場合であっても、高品位な印刷を行うことができる。
【００９７】
画像が描画された用紙Ｐは、渡し胴９０に受け渡される。そして、渡し胴９０によって所定の搬送経路を搬送されて、インク乾燥部５０の搬送ドラム５１に受け渡される。
【００９８】
ここで、上記のように、渡し胴９０には、その内部にドライヤ９４が設置されており、ガイド板９２に向けて熱風が吹き出されている。インクの乾燥処理は、後段のインク乾燥部５０で行われるが、用紙Ｐは、この渡し胴９０による搬送時にも乾燥処理が施される。
【００９９】
なお、図示されていないが、この画像記録部４０には、インクジェットヘッド４４Ｃ、４４Ｍ、４４Ｙ、４４Ｋのメンテナンスを行うメンテナンス部が備えられており、インクジェットヘッド４４Ｃ、４４Ｍ、４４Ｙ、４４Ｋは、必要に応じてメンテナンス部に移動して、所要のメンテナンスができるように構成されている。
【０１００】
〈インク乾燥部〉
インク乾燥部５０は、画像記録後の用紙Ｐに残存する液体成分を乾燥させる。このインク乾燥部５０は、主として、用紙Ｐを搬送する搬送ドラム（以下、「インク乾燥ドラム」という。）５１と、インク乾燥ドラム５１によって搬送される用紙Ｐに対して乾燥処理を施すインク乾燥装置５２とで構成される。
【０１０１】
インク乾燥ドラム５１は、渡し胴９０から用紙Ｐを受け取り（グリッパＧで用紙Ｐの先端を把持して受け取る。）、回転して用紙Ｐを所定の搬送経路に沿って搬送する。
【０１０２】
インク乾燥装置５２は、たとえば、ドライヤで構成され（本例では用紙Ｐの搬送経路に沿って配設された３台のドライヤで構成）、インク乾燥ドラム５１によって搬送される用紙Ｐに向けて熱風（たとえば、８０℃）を吹き付ける。
【０１０３】
以上の構成のインク乾燥部５０において、用紙Ｐは、インク乾燥ドラム５１によって所定の搬送経路を搬送される。そして、その搬送過程で印刷面にインク乾燥装置５２から熱風が吹き付けられて、印刷面に付与されたインクが乾燥される（溶媒成分が蒸発除去される。）。
【０１０４】
インク乾燥装置５２を通過した用紙Ｐは、その後、所定位置でインク乾燥ドラム５１から渡し胴１００に受け渡される。そして、渡し胴１００によって所定の搬送経路を搬送されて、定着部６０の搬送ドラム６１に受け渡される。
【０１０５】
なお、上記のように、渡し胴１００には、その内部にドライヤ１０４が設置されており、ガイド板１０２に向けて熱風が吹き出されている。したがって、用紙Ｐは、この渡し胴１００での搬送時にも乾燥処理が施される。
【０１０６】
〈定着部〉
定着部６０は、用紙Ｐを加熱加圧して、印刷面に画像記録された画像を定着させる。この定着部６０は、主として、用紙Ｐを搬送する搬送ドラム（以下、「定着ドラム」という。）６１と、用紙Ｐの印刷面に紫外線を当てる紫外線照射光源６２と、印刷後の用紙Ｐの温度、湿度等を検出するとともに、印刷された画像を撮像するインラインセンサ６４とで構成される。
【０１０７】
定着ドラム６１は、渡し胴１００から用紙Ｐを受け取り（グリッパＧで用紙Ｐの先端を把持して受け取る。）、回転して用紙Ｐを所定の搬送経路に沿って搬送する。
【０１０８】
紫外線照射光源６２は、定着ドラム６１によって搬送される用紙Ｐの印刷面に紫外線を照射して、処理液とインクとの凝集体を固化させる。
【０１０９】
インラインセンサ６４は、温度計、湿度計、ＣＣＤラインセンサ等を備え、定着ドラム６１によって搬送される用紙Ｐの温度、湿度等を検出するとともに、用紙Ｐに印刷された画像を読み取る。このインラインセンサ６４の検出結果に基づいて、装置の異常やヘッドの吐出不良等がチェックされる。
【０１１０】
以上の構成の定着部６０において、用紙Ｐは、定着ドラム６１によって所定の搬送経路を搬送される。そして、その搬送過程で紫外線照射光源６２から印刷面に紫外線が照射され、処理液とインクとの凝集体が固化される。
【０１１１】
定着処理が施された用紙Ｐは、この後、所定位置で定着ドラム６１から回収部７０へと受け渡される。
【０１１２】
〈回収部〉
回収部７０は、一連の印刷処理が行われた用紙Ｐをスタッカ７１に積み重ねて回収する。この回収部７０は、主として、用紙Ｐを回収するスタッカ７１と、定着部６０で定着処理された用紙Ｐを定着ドラム６１から受け取り、所定の搬送経路を搬送して、スタッカ７１に排紙する排紙コンベア７２とで構成される。
【０１１３】
定着部６０で定着処理された用紙Ｐは、定着ドラム６１から排紙コンベア７２に受け渡され、その排紙コンベア７２によってスタッカ７１まで搬送されて、スタッカ７１内に回収される。
【０１１４】
《制御系》
図２は、本実施の形態のインクジェット記録装置の制御系の概略構成を示すブロック図である。
【０１１５】
同図に示すように、インクジェット記録装置１０は、システムコントローラ２００、通信部２０１、画像メモリ２０２、搬送制御部２０３、給紙制御部２０４、処理液塗布制御部２０５、画像記録制御部２０６、インク乾燥制御部２０７、定着制御部２０８、回収制御部２０９、操作部２１０、表示部２１１等を備えている。
【０１１６】
システムコントローラ２００は、インクジェット記録装置１０の各部を統括制御する制御手段として機能するとともに、各種演算処理を行う演算手段として機能する。このシステムコントローラ２００は、ＣＰＵ、ＲＯＭ、ＲＡＭ等を備えており、所定の制御プログラムに従って動作する。ＲＯＭには、このシステムコントローラ２００が、実行する制御プログラムや制御に必要な各種データが格納されている。
【０１１７】
通信部２０１は、所要の通信インターフェースを備え、その通信インターフェースと接続されたホストコンピュータとの間でデータの送受信を行う。
【０１１８】
画像メモリ２０２は、画像データを含む各種データの一時記憶手段として機能し、システムコントローラ２００を通じてデータの読み書きが行われる。通信部２０１を介してホストコンピュータから取り込まれた画像データは、この画像メモリ２０２に格納される。
【０１１９】
搬送制御部２０３は、処理液塗布部３０、画像記録部４０、インク乾燥部５０、定着部６０の各部における用紙Ｐの搬送手段である搬送ドラム３１、４１、５１、６１と、渡し胴８０、９０、１００の駆動を制御する。
【０１２０】
すなわち、各搬送ドラム３１、４１、５１、６１を駆動するモータの駆動を制御するとともに、各搬送ドラム３１、４１、５１、６１に備えられた、グリッパＧの開閉を制御する。
【０１２１】
同様に各渡し胴８０、９０、１００を駆動するモータの駆動を制御するとともに、各渡し胴８０、９０、１００に備えられた、グリッパＧの開閉を制御する。
【０１２２】
また、各搬送ドラム３１、４１、５１、６１には、用紙Ｐを周面に吸着保持する機構が備えられているので、その吸着保持機構の駆動を制御する（本実施の形態では、用紙Ｐを真空吸着するので、負圧発生手段としての真空ポンプの駆動を制御する。）。
【０１２３】
また、各渡し胴８０、９０、１００には、ドライヤ８４、９４、１０４が備えられているので、その駆動（加熱量と送風量）を制御する。
【０１２４】
この搬送ドラム３１、４１、５１、６１と、渡し胴８０、９０、１００の駆動は、システムコントローラ２００からの指令に応じて制御される。
【０１２５】
給紙制御部２０４は、システムコントローラ２００からの指令に応じて給紙部２０を構成する各部（給紙装置２１、渡し胴２３等）の駆動を制御する。
【０１２６】
処理液塗布制御部２０５は、システムコントローラ２００からの指令に応じて処理液塗布部３０を構成する各部（塗布装置３２等）の駆動を制御する。
【０１２７】
画像記録制御部２０６は、システムコントローラ２００からの指令に応じて画像記録部４０を構成する各部（押圧ローラ４２、用紙浮き検出センサ４３、インクジェットヘッド４４Ｃ、４４Ｍ、４４Ｙ、４４Ｋ、バックテンション付与装置３００等）の駆動を制御する。
【０１２８】
インク乾燥制御部２０７は、システムコントローラ２００からの指令に応じてインク乾燥部５０を構成する各部（インク乾燥装置５２等）の駆動を制御する。
【０１２９】
定着制御部２０８は、システムコントローラ２００からの指令に応じて定着部６０を構成する各部（紫外線照射光源６２、インラインセンサ６４等）の駆動を制御する。
【０１３０】
回収制御部２０９は、システムコントローラ２００からの指令に応じて回収部７０を構成する各部（排紙コンベア７２等）の駆動を制御する。
【０１３１】
操作部２１０は、所要の操作手段（たとえば、操作ボタンやキーボード、タッチパネル等）を備えており、その操作手段から入力された操作情報をシステムコントローラ２００に出力する。システムコントローラ２００は、この操作部２１０から入力された操作情報に応じて各種処理を実行する。
【０１３２】
表示部２１１は、所要の表示装置（たとえば、ＬＣＤパネル等）を備えており、システムコントローラ２００からの指令に応じて所要の情報を表示装置に表示させる。
【０１３３】
上記のように、用紙に記録する画像データは、ホストコンピュータから通信部２０１を介してインクジェット記録装置１０に取り込まれ、画像メモリ２０２に格納される。システムコントローラ２００は、この画像メモリ２０２に格納された画像データに所要の信号処理を施してドットデータを生成し、生成したドットデータに従って画像記録部４０の各インクジェットヘッドの駆動を制御することにより、その画像データが表す画像を用紙に記録する。
【０１３４】
ドットデータは、一般に画像データに対して色変換処理、ハーフトーン処理を行って生成される。色変換処理は、ｓＲＧＢなどで表現された画像データ（たとえば、ＲＧＢ８ビットの画像データ）をインクジェット記録装置１０で使用するインクの各色のインク量データに変換する処理である（本例では、Ｃ、Ｍ、Ｙ、Ｋの各色のインク量データに変換する。）。ハーフトーン処理は、色変換処理により生成された各色のインク量データに対して誤差拡散等の処理で各色のドットデータに変換する処理である。
【０１３５】
システムコントローラ２００は、画像データに対して色変換処理、ハーフトーン処理を行って各色のドットデータを生成する。そして、生成した各色のドットデータに従って、対応するインクジェットヘッドの駆動を制御することにより、画像データが表す画像を用紙に記録する。
【０１３６】
《印刷動作》
次に、上記のインクジェット記録装置１０による印刷動作について概説する。
【０１３７】
システムコントローラ２００から給紙装置２１に給紙指令が出力されると、給紙装置２１から給紙トレイ２２に用紙Ｐが給紙される。給紙トレイ２２に給紙された用紙Ｐは、渡し胴２３を介して処理液塗布部３０の処理液塗布ドラム３１に受け渡される。
【０１３８】
処理液塗布ドラム３１に受け渡された用紙Ｐは、処理液塗布ドラム３１によって所定の搬送経路を搬送され、その搬送過程で塗布装置３２によって印刷面に処理液が塗布される。
【０１３９】
処理液が塗布された用紙Ｐは、処理液塗布ドラム３１から渡し胴８０に受け渡される。そして、その渡し胴８０によって所定の搬送経路を搬送されて、画像記録部４０の画像記録ドラム４１に受け渡される。用紙Ｐは、その渡し胴８０による搬送過程で渡し胴８０の内部に設置されたドライヤ８４から印刷面に熱気が吹き付けられ、印刷面に塗布された処理液が乾燥される。
【０１４０】
渡し胴８０から画像記録ドラム４１に受け渡された用紙Ｐは、まず、押圧ローラ４２にニップされて、裏面が画像記録ドラム４１の外周面に密着される。
【０１４１】
押圧ローラ４２を通過した用紙Ｐは、その後、用紙浮き検出センサ４３によって浮きの有無が検出される。ここで、用紙Ｐの浮きが検出されると、搬送が停止される。一方、浮きが検出されない場合は、そのままインクジェットヘッド４４Ｃ、４４Ｍ、４４Ｙ、４４Ｋに向けて搬送される。そして、各インクジェットヘッド４４Ｃ、４４Ｍ、４４Ｙ、４４Ｋの下を通過する際、各インクジェットヘッド４４Ｃ、４４Ｍ、４４Ｙ、４４ＫからＣ、Ｍ、Ｙ、Ｋの各色のインク滴が吐出されて、印刷面にカラー画像が描画される。
【０１４２】
画像が描画された用紙Ｐは、画像記録ドラム４１から渡し胴９０に受け渡される。そして、その渡し胴９０によって所定の搬送経路を搬送されて、インク乾燥部５０のインク乾燥ドラム５１に受け渡される。用紙Ｐは、その渡し胴９０による搬送過程で渡し胴９０の内部に設置されたドライヤ９４から印刷面に熱気が吹き付けられて、印刷面に付与されたインクが乾燥される。
【０１４３】
インク乾燥ドラム５１に受け渡された用紙Ｐは、インク乾燥ドラム５１によって所定の搬送経路を搬送される。そして、その搬送過程でインク乾燥装置５２から熱風が印刷面に吹き付けられて、印刷面に残存する液体成分が乾燥される。
【０１４４】
乾燥処理された用紙Ｐは、インク乾燥ドラム５１から渡し胴１００に受け渡される。そして、その渡し胴１００によって所定の搬送経路を搬送されて、定着部６０の定着ドラム６１に受け渡される。用紙Ｐは、その渡し胴１００による搬送過程で渡し胴１００の内部に設置されたドライヤ１０４から印刷面に熱気が吹き付けられ、印刷面に付与されたインクが、さらに乾燥される。
【０１４５】
定着ドラム６１に受け渡された用紙Ｐは、定着ドラム６１によって所定の搬送経路を搬送される。そして、その搬送過程で印刷面に紫外線が照射され、描画された画像が用紙Ｐに定着される。用紙Ｐは、この後、定着ドラム６１から回収部７０の排紙コンベア７２に受け渡され、排紙コンベア７２によってスタッカ７１まで搬送されて、スタッカ７１内に排紙される。
【０１４６】
以上のように、本例のインクジェット記録装置１０では、用紙Ｐをドラム搬送し、その搬送過程で用紙Ｐに対し、処理液の塗布、乾燥、インク滴の打滴、乾燥、定着の各処理を施して、用紙Ｐに所定の画像を記録する。
【０１４７】
《画像記録部における用紙搬送機構の詳細》
［第１の実施の形態］
〈構成〉
図３は、画像記録部の用紙搬送機構（用紙搬送装置）の概略構成を示す側面図である。また、図４は、用紙搬送機構の概略構成を示す斜視図である。また、図５は、用紙搬送機構の下面図である。
【０１４８】
上記のように、画像記録部４０は、用紙Ｐを搬送する画像記録ドラム４１と、その画像記録ドラム４１に搬送される用紙Ｐをニップして、画像記録ドラム４１の周面に密着させる押圧ローラ４２と、画像記録ドラム４１によって搬送される用紙Ｐの浮きを検出する用紙浮き検出センサ４３と、画像記録ドラム４１によって搬送される用紙Ｐにインク滴を吐出するインクジェットヘッド４４Ｃ、４４Ｍ、４４Ｙ、４４Ｋと、押圧ローラ４２の直前の位置で用紙Ｐの表面（印刷面）を吸引して、用紙Ｐにバックテンションを付与するバックテンション付与装置３００とを備えて構成される。
【０１４９】
画像記録ドラム４１は、渡し胴８０によって搬送される用紙Ｐを所定の受取位置Ａで受け取り、軸回りに回転して、用紙Ｐを円弧状の搬送経路に沿って搬送する。この際、用紙Ｐを外周面上に吸着保持して搬送する。すなわち、画像記録ドラム４１の周面には、多数の吸着孔が一定のパターンで形成されており、この吸着孔を介して内部から空気を吸引することにより、外周面上に巻き掛けられた用紙Ｐを吸着保持する。
【０１５０】
なお、本実施の形態の画像記録ドラム４１では、吸着の作動範囲が限定されており、所定の吸着開始位置Ｂから吸着終了位置Ｃの範囲でのみ吸着が作動する。ここで、吸着開始位置Ｂは、受取位置Ａから一定距離離れた位置（一定角度回転した位置）に設定され、吸着終了位置Ｃは渡し胴９０に用紙Ｐを受け渡す位置に設定される。したがって、用紙Ｐは、受取位置Ａから一定距離搬送された後、吸着が開始される。
【０１５１】
押圧ローラ４２は、図４に示すように、用紙Ｐの搬送方向に対してインクジェットヘッドの上流位置に配置される。本例では吸着開始位置Ｂに配置される。
【０１５２】
この押圧ローラ４２は、画像記録ドラム４１の幅とほぼ同じ幅を有するゴムローラ（ここでは、金属製の芯材（軸部）の周囲をゴムで被覆したローラ）で構成される。押圧ローラ４２は、画像記録ドラム４１と平行に配置（用紙Ｐの搬送方向と直交して配置）され、その軸部の両端を図示しない軸受に軸支されて回転自在に支持される。軸受は、図示しない付勢機構（たとえば、バネ）によって、画像記録ドラム４１に向けて所定の付勢力で付勢される。これにより、押圧ローラ４２が画像記録ドラム４１の外周面に所定の押圧力で押圧当接される。また、これにより、画像記録ドラム４１が回転すると、その画像記録ドラム４１の回転に連動して回転する（いわゆる連れ回り）。
【０１５３】
受取位置で画像記録ドラム４１に受け渡された用紙Ｐは、吸着開始位置Ｂまで搬送されると、押圧ローラ４２にニップされて、画像記録ドラム４１の外周面に密着される。また、これと同時に吸引が開始される。
【０１５４】
用紙浮き検出センサ４３は、押圧ローラ４２を通過した用紙Ｐの浮きを検出する。したがって、用紙浮き検出センサ４３は、押圧ローラ４２の後段（画像記録ドラム４１による用紙Ｐの搬送方向の下流側）に設置される。
【０１５５】
図４に示すように、この用紙浮き検出センサ４３は、レーザ光を投光するレーザ投光器４３Ａと、そのレーザ光を受光するレーザ受光器４３Ｂとで構成される。
【０１５６】
レーザ投光器４３Ａは、画像記録ドラム４１の幅方向の一端から他端に向けて画像記録ドラム４１の軸と平行なレーザ光を画像記録ドラム４１の外周面から所定高さの位置（浮きの許容範囲の上限の高さの位置）に投光する。
【０１５７】
レーザ受光器４３Ｂは、画像記録ドラム４１による用紙Ｐの走行経路を挟んでレーザ投光器４３Ａと対向して配置され、レーザ投光器４３Ａから投光されたレーザ光を受光する。レーザ受光器４３Ｂは、受光したレーザ光の受光量を検出し、その検出結果をシステムコントローラ２００に出力する。
【０１５８】
システムコントローラ２００は、得られた受光量の情報に基づいて、用紙Ｐの浮きを検出する。すなわち、用紙Ｐに許容値以上の浮きが生じると、レーザ投光器４３Ａから投光されるレーザ光が用紙Ｐに遮られる。この結果、レーザ受光器４３Ｂで受光されるレーザ光の受光量が低下する。システムコントローラ２００は、このレーザ受光器４３Ｂで受光されるレーザ光の受光量と閾値とを比較し、受光量が閾値以下になった場合に浮き（許容値以上の浮き）が発生したと判定して、これを検出する。これにより、用紙Ｐの浮きを検出することができる。
【０１５９】
システムコントローラ２００は、許容値以上の浮きを検出すると、画像記録ドラム４１の回転を停止し、用紙Ｐの搬送を停止する。これにより、浮いた用紙Ｐが、インクジェットヘッドのノズル面に接触するのを防止することができる。
【０１６０】
なお、用紙浮き検出センサ４３は、レーザ投光器４３Ａとレーザ受光器４３Ｂで投光・受光するレーザ光の高さ（画像記録ドラム４１の外周面からの高さ）を調整可能に構成される。これにより、用紙Ｐの厚さ等に応じて、浮きの許容範囲を任意に設定することができる。
【０１６１】
投光・受光するレーザ光の高さの調整は、たとえば、レーザ投光器４３Ａとレーザ受光器４３Ｂの設置高さを変えることにより行われる。この他、レーザ投光器４３Ａとレーザ受光器４３Ｂの前に角度調整可能な透明平行平板（たとえば、硝子平行平板）を設置し、屈折を利用して、投光・受光するレーザ光の高さの調整を調整することもできる（透明平行平板をレーザ光に対して直交して配置すれば、レーザ光は直進するが、傾けて設置することにより、入射時と出射時に屈折して、高さの調整を行うことができる。）。
【０１６２】
また、レーザ投光器４３Ａとレーザ受光器４３Ｂの前段にアパーチャを設置することにより、不要な光を排除でき、より高精度な検出を行うことができる。
【０１６３】
バックテンション付与装置３００は、図３に示すように、画像記録ドラム４１によって搬送される用紙Ｐが、押圧ローラ４２によって押圧される直前の位置（画像記録ドラム４１と押圧ローラ４２との間に進入する直前の位置）で用紙Ｐの表面を吸引して、用紙Ｐにバックテンションを付与する。
【０１６４】
バックテンション付与装置３００は、主として、用紙ガイド３１０と、吸引ユニット（吸引手段）３３０とで構成される。
【０１６５】
図６は、バックテンション付与装置の概略構成図である。
【０１６６】
用紙ガイド３１０は、用紙Ｐの搬送方向と平行な方向の断面が台形状をした中空のボックス形状（末広がりのボックス状）に形成される。用紙ガイド３１０は、用紙幅に対応して形成される。したがって、その幅（用紙Ｐの搬送方向と直交する方向の幅）は、画像記録ドラム４１の幅とほぼ同じ幅で形成される。
【０１６７】
用紙ガイド３１０は、画像記録ドラム４１と対向する面に用紙Ｐを吸着するための吸着面３１６が形成される。吸着面３１６は平坦に形成される。用紙Ｐは、この吸着面上を吸引されながら摺動する。
【０１６８】
用紙ガイド３１０は、押圧ローラ４２に近接して設置される。更に、本実施の形態では、吸着面３１６が、押圧ローラ４２の設置点（押圧ローラ４２と画像記録ドラム４１の外周面とが接する点（本例では吸着開始位置Ｂ））における画像記録ドラム４１の接線Ｔに沿うようにして配置される（吸着面３１６の延長線上に押圧ローラ４２の設置点が位置するように配置される。）。これにより、画像記録ドラム４１と押圧ローラ４２との間にスムーズに用紙Ｐを導くことができる。なお、用紙Ｐの表面が押圧ローラ４２に巻き係るように配置することもできる。
【０１６９】
図５に示すように、吸着面３１６には、多数の吸着孔３１８が形成される。吸着孔３１８は、用紙Ｐの搬送方向に一定ピッチ（ｄｖ＝一定）で配置されるとともに、用紙Ｐの搬送方向と直交する方向（吸着面３１６の幅方向）に一定のピッチ（ｄｈ＝一定）で配置される。また、吸着孔３１８は、吸着面３１６の幅方向の両端に近づくほど開口面積が小さくなるように形成される。本実施の形態では、各吸着孔３１８が円形状に形成され、吸着面３１６の幅方向の中央から幅方向の両端に向かうほど直径が小さくなるように形成されている。すなわち、たとえば、幅方向の中央に配置される吸着孔（中央にない場合は、中央に最も近い位置に配置される吸着孔）の直径をＬ０とし、中央から幅方向の両端に離れるにしたがって、その径をＬ１、Ｌ２、…Ｌｎとすると、Ｌ０＞Ｌ１＞Ｌ２＞…＞Ｌｎの関係となるように、各吸着孔３１８が形成される。
【０１７０】
このように、吸着面３１６の幅方向の中央から幅方向の両端に向かって開口面積が小さくなるように吸着孔３１８を形成することにより、用紙Ｐに作用させる吸着力に分布が形成される。すなわち、図７に示すように、幅方向の中央から幅方向の両端に向かって吸着力が弱くなるように形成される。これにより、用紙Ｐにバックテンションを作用させて用紙Ｐを伸ばす際、用紙Ｐのシワを幅方向に分散させながら伸ばすことができる。
【０１７１】
なお、用紙Ｐの搬送方向に沿う方向については、各吸着孔３１８が同じ開口面積で形成される。本例では、同じ形状で形成されている。
【０１７２】
上記のように、用紙ガイド３１０は中空状に形成される。この中空状に形成される用紙ガイド３１０の内部空間は吸引室３２０とされ、吸着面３１６の幅とほぼ同じ幅で形成される。各吸着孔３１８は、この吸引室３２０に連通して形成される。
【０１７３】
用紙ガイド３１０の上面（吸着面３１６と反対側の面）には、中央部に吸引口３２２が形成される。吸引口３２２は、吸引室３２０と連通される。この吸引口３２２から空気を吸引することにより、吸引室３２０が吸引され、吸着面３１６に形成された各吸着孔３１８から空気が吸引される。
【０１７４】
吸引ユニット３３０は、用紙ガイド３１０の吸引室３２０を吸引する。吸引ユニット３３０は、吸引ポンプ３３２と、吸引管３３４と、吸引バルブ３３６とを備えて構成される。
【０１７５】
吸引ポンプ３３２は、真空ポンプで構成される。吸引ポンプ３３２の駆動は、画像記録制御部２０６を介してシステムコントローラ２００に制御される。
【０１７６】
吸引管３３４は、吸引ポンプ３３２と用紙ガイド３１０とを接続する。吸引管３３４は、一端が吸引ポンプ３３２の吸込口に接続され、他端が用紙ガイド３１０の吸引口３２２に接続される。
【０１７７】
吸引バルブ３３６は、吸引管３３４の管路の途中に設置される。吸引バルブ３３６は、開口量が調整可能に形成される。吸引バルブ３３６の開口量は、画像記録制御部２０６を介してシステムコントローラ２００に制御される。
【０１７８】
吸引ポンプ３３２を駆動すると、吸引管３３４を介して吸引室３２０の内部が真空吸引される（吸引室内が負圧にされる。）。これにより、吸着面３１６に形成された各吸着孔３１８からエアが吸引される。
【０１７９】
ここで、上記のように、吸着面３１６には、幅方向の中央から幅方向の両端に向かって開口面積が小さくなるように吸着孔３１８が形成されている。このため、図７に示すように、吸着力に分布が形成され、幅方向の両端に向かうほど吸着力が弱くなるように形成される。これにより、用紙Ｐにバックテンションを作用させて用紙Ｐを伸ばす際、用紙Ｐのシワを幅方向に分散させながら伸ばすことができる。
【０１８０】
なお、全体の吸引力の調整は、吸引バルブ３３６により行われる。すなわち、吸引バルブ３３６の開口量を調整することにより、全体の吸引力が調整される。
【０１８１】
バックテンション付与装置３００は、以上のように構成される。
【０１８２】
〈作用〉
上記のように、用紙Ｐは、渡し胴８０から画像記録ドラム４１に受け渡される。画像記録ドラム４１は、所定の受取位置Ａで渡し胴８０から用紙Ｐを受け取る。
【０１８３】
用紙Ｐの受け取りは、グリッパＧで用紙Ｐの先端を把持することにより行われる。この用紙Ｐの受け取りは、回転しながら行われる。
【０１８４】
先端がグリッパＧで把持された用紙Ｐは、画像記録ドラム４１の回転によって搬送される。そして、押圧ローラ４２の設置位置で押圧ローラ４２によって表面（印刷面）が押圧され、画像記録ドラム４１の外周面に密着される。
【０１８５】
ここで、本例のインクジェット記録装置１０には、押圧ローラ４２の手前（用紙Ｐの搬送方向の上流側）に用紙ガイド３１０が設置されている。
【０１８６】
用紙ガイド３１０の吸着面３１６は、画像記録ドラム４１の外周から離間して設置されているが、吸着面３１６に形成された吸着孔３１８からは、インクジェット記録装置１０の稼動と同時に空気が吸引される（吸引ポンプ３３２が駆動される。）。この結果、画像記録ドラム４１によって搬送される用紙Ｐは、押圧ローラ４２に押圧される直前の位置で表面（印刷面）が吸着面３１６に吸着され、吸着面３１６を摺られながら搬送される。これにより、用紙Ｐにバックテンションが付与される。そして、このバックテンションが付与されることにより、用紙Ｐが搬送方向に伸ばされて、用紙Ｐに生じている変形（歪み）が取り除かれる。
【０１８７】
ところで、上記のようにバックテンションは、吸着面３１６で用紙Ｐの表面を吸引することにより付与されるが、この吸着面３１６の吸着力は均一ではなく、幅方向に分布が持たされている。すなわち、図７に示すように、幅方向の中央から幅方向の両端に向かうほど吸着力が弱くなるようにされている。このように、吸着力を設定することにより、図８に示すように、用紙Ｐに生じている変形を幅方向に分散させながら伸ばすことができる。これにより、用紙Ｐの後端にシワが溜まるのを防止することができる。
【０１８８】
用紙Ｐは、バックテンション付与装置３００によってバックテンションが付与された状態で押圧ローラ４２と画像記録ドラム４１との間に進入する。そして、押圧ローラ４２によって表面が押圧されて、画像記録ドラム４１の外周面に巻き付けられる。バックテンションが付与されることにより、用紙Ｐはピンと張られた状態で押圧ローラ４２に押圧されるため、シワや浮きを発生させることなく、画像記録ドラム４１の周面に密着させることができる。
【０１８９】
画像記録ドラム４１は、押圧ローラ４２の設置点から吸引が作動する。したがって、用紙Ｐは、押圧ローラ４２による押圧と同時に裏面が画像記録ドラム４１の外周面に吸着される。
【０１９０】
この後、用紙Ｐは、用紙浮き検出センサ４３を通過して、浮きの有無が検出される。浮きが検出されない場合は、そのまま搬送されて画像の記録が行われる。すなわち、各インクジェットヘッド４４Ｃ、４４Ｍ、４４Ｙ、４４Ｋを通過する際、各インクジェットヘッド４４Ｃ、４４Ｍ、４４Ｙ、４４Ｋから表面に向けてインク滴が吐出されて、表面に画像が記録される。
【０１９１】
以上説明したように、本実施の形態の用紙搬送機構によれば、用紙Ｐの表面を吸引してバックテンションを付与する際、吸着力に分布を持たせて吸引することにより、シワを幅方向に分散させながら用紙Ｐを伸ばすことができる。これにより、シワや浮きを発生させることになく、用紙Ｐを画像記録ドラム４１の周面に巻き付けることができる。これにより、高品質な画像を安定して記録することができる。また、ヘッドに接触させることなく、用紙Ｐを安定して搬送することができる。
【０１９２】
また、本実施の形態の用紙搬送機構では、用紙Ｐの表面を吸引する構成であるため、たとえば、印刷処理対象の用紙Ｐの裏面に既に画像が記録されている場合であっても、その画像を傷付けることなく搬送することができる。
【０１９３】
なお、上記実施の形態では、吸着面３１６に形成される吸着孔３１８の開口面積を両端に向けて漸次減少させる態様としているが、段階的に減少させるようにしてもよい。たとえば、図９（Ａ）に示すように、吸着面３１６を幅方向に複数のゾーンＺＬ３、ＺＬ２、ＺＬ１、Ｚ０、ＺＲ１、ＺＲ２、ＺＲ３に分割し、ゾーンごとに段階的に開口面積を減少させるようにしてもよい。同図に示す例では、中央のゾーンＺ０に配置される吸着孔３１８の開口面積が最も大きく、中央から離れるに従って段階的に開口面積が小さくなるように形成されている（ＺＬ１＞ＺＬ２＞ＺＬ１、ＺＲ１＞ＺＲ２＞ＺＲ３、ＺＬ１＝ＺＲ１、ＺＬ２＝ＺＲ２、ＺＬ３＝ＺＲ３）。
【０１９４】
また、上記実施の形態では、吸着孔３１８が等間隔に配置されているが（前後に配置される吸着孔の中心間の距離が等間隔）、図９（Ｂ）に示すように、千鳥状に配置する構成としてもよい。
【０１９５】
また、上記実施の形態では、吸着孔３１８を円形状とし、所定のパターンで配列する構成としているが、吸着孔３１８の形状は、これに限定されるものではない。たとえば、図１０に示すように、スリット状の吸着孔３１８を形成するようにしてもよい。この場合、同図（Ａ）に示すように、用紙Ｐの搬送方向に沿って同じ長さのスリット状の吸着孔３１８を幅方向に一定ピッチで形成し、幅方向の中央から幅方向の両端に向かって、幅が漸次減少するように形成するようにしてもよい。また、同図（Ｂ）に示すように、用紙Ｐの搬送方向に沿ってスリット状の吸着孔３１８を一定ピッチで形成し、幅方向の中央から幅方向の両端に向かって、幅と長さとが漸次減少するように形成するようにしてもよい。
【０１９６】
また、図１１（Ａ）に示すように、スリット状の吸着孔３１８を幅方向に一定ピッチで形成し、幅方向の中央から幅方向の両端に向かって、幅が漸次減少するように形成するとともに、幅方向の中央から幅方向の両端に向かって、用紙Ｐの搬送方向の先端側を幅方向の中央に向けて漸次傾けて形成するようにしてもよい。これにより、幅方向の中央から吸着が開始されるようになり、効率よくシワを拡散することができる。
【０１９７】
また、同図（Ｂ）に示すように、幅方向の中央から両端後方に延びる直線上にスリット状の吸着孔３１８を一定ピッチで配置し、幅方向の中央から幅方向の両端に向かって、幅が漸次減少するように形成するようにしてもよい。この構成によっても、幅方向の中央から吸着が開始されるようになり、効率よくシワを拡散することができる。なお、同図（Ｃ）に示すように、スリット状の吸着孔３１８に代えて、円形状の吸着孔３１８でも同様の効果を得ることができる。すなわち、幅方向の中央から両端後方に延びる直線上に円形状の吸着孔３１８を一定ピッチで配置し、幅方向の中央から幅方向の両端に向かって、直径が漸次減少するように形成するようにしてもよい。この場合、同図に示すように、用紙Ｐの搬送方向に沿って複数の吸着孔３１８を配置するようにしてもよい。
【０１９８】
また、上記実施の形態では、各吸着孔３１８をそれぞれ１つの孔で形成しているが、図１２に示すように、各吸着孔３１８を複数の小径の孔３１８Ａの集合によって形成するようにしてもよい。同図に示す例では、複数の小径の孔３１８Ａで円形状の吸着孔３１８を形作るようにしている。このように、複数の小径の孔３１８Ａの集合によって各吸着孔３１８を形成することにより、用紙Ｐが吸着孔に沿って変形し、吸着孔の痕が残るのを防止することができる。
【０１９９】
〈吸着孔の他の形成態様〉
上記実施の形態では、幅方向に配列される個々の吸着孔の開口面積を変えることにより、所望の吸着力の分布が得られるように構成している。吸着力に分布を持たせる構成は、これに限定されるものではない。すなわち、単一の吸着室から吸引する場合は、幅方向の中央から幅方向の両端に向かって開口率（開口している面積の割合）が減少するように、吸着孔３１８が形成されていれば、吸着力に分布を持たせることができる。したがって、同一の開口面積を有する吸着孔を形成する場合であっても、その設置間隔を変えれば、同じ吸着面上で吸着力に分布を持たせることができる。
【０２００】
図１３は、吸着孔の設置間隔を調整して、吸着力に分布を持たせる場合の吸着面の平面図である。
【０２０１】
同図に示すように、各吸着孔３１８は、同じサイズで形成されるが、幅方向の中央は密に配置され、幅方向の両端に向かうほど粗に配置されている。すなわち、幅方向の中央から幅方向の両端に向かうに従って、隣り合う吸着孔同士の間隔ｄｈｎが広くなるように配置されている（ｄｈｎ−１＜ｄｈｎ）。このように、幅方向に隣り合う吸着孔の間隔を調整（＝幅方向の吸着孔の配置密度を調整）することによっても、吸着力に分布を持たせることができる（幅方向の中央から幅方向の両端に向かって吸着力が弱くなるように形成することができる。）。
【０２０２】
図１４は、スリット状の吸着孔を形成した場合の吸着面の平面図である。同図（Ａ）に示すように、スリット状の吸着孔（用紙の搬送方向に延びる方向に形成）を幅方向に沿って配列するとともに、隣り合う吸着孔同士の間隔が幅方向の中央から幅方向の両端に向かって漸次広くなるように配置している。この場合も幅方向の中央から幅方向の両端に向かって吸着力が弱くなるように形成することができる。同図（Ｂ）は、スリット状の吸着孔を幅方向に沿って配列するとともに、隣り合う吸着孔同士の間隔が幅方向の中央から幅方向の両端に向かって漸次広くなるように配置し、かつ、用紙Ｐの幅方向の中央から幅方向の両端に向かって、用紙Ｐの搬送方向の先端側を幅方向の中央に向けて漸次傾けて形成したものである。これにより、幅方向の中央から吸着が開始されるようになり、効率よくシワを拡散することができる。
【０２０３】
この他、ゾーンごとに隣り合う吸着孔の間隔を調整することによっても（＝ゾーンごとに吸着孔の配置密度を調整することによっても）、吸着力に分布を持たせることができる。
【０２０４】
また、図１５に示すように、幅方向の中央から両端後方に延びる直線上に吸着孔３１８を配置し、幅方向の中央から幅方向の両端に向かって、隣り合う吸着孔同士の間隔が漸次増大するように形成するようにしてもよい。この構成によっても、幅方向の中央から吸着が開始されるようになり、効率よくシワを拡散することができる。
【０２０５】
なお、このように隣り合う吸着孔同士の間隔（＝吸着孔の幅方向の配置密度）を調整して、吸着力を調整する場合も、上記同様に、各吸着孔を複数の小径の孔の集合によって形成することができる（図１２参照）。これにより、用紙Ｐが吸着孔に沿って変形し、吸着孔の痕が残るのを防止することができる。
【０２０６】
〈その他の態様〉
上記実施の形態では、用紙ガイド３１０に吸着面３１６が一体的に形成される例で説明したが、吸着面３１６を交換可能に形成し（吸着面３１６を構成する部分を着脱可能かつ交換可能に構成）、用紙に応じて作用させる吸着力の分布を変えられるようにしてもよい。
【０２０７】
たとえば、図１６に示すように、吸着孔の大きさ、配列等が異なる複数の吸着面を用意し、用紙Ｐの種類、厚さ、透気度、印刷済み用紙か否か等に応じて、使用する吸着面を交換できるようにしてもよい。これにより、用紙Ｐに応じて適切に吸着力を作用させることができ、より効果的にシワや浮きの発生を防止することができる。
【０２０８】
この他、個々の吸着孔を拡縮可能に形成し（たとえば、アイリス機構等の開口面積の調整機構を設ける）、用紙に応じて開口面積を調整できるようにしても、同様の効果を得ることができる。
【０２０９】
また、上記実施の形態では、吸着孔の開口面積又は吸着孔の形成間隔を調整して、吸着力の分布を調整する構成としているが、吸着孔の開口面積と吸着孔の形成間隔の双方を調整して、吸着力の分布を調整してもよい。
【０２１０】
［第２の実施の形態］
上記第１の実施の形態では、吸着孔による吸着面の開口率を調整して、吸着力が幅方向の中央から幅方向の両端に向かって小さくなるようにしている。
【０２１１】
本実施の形態では、吸着室を複数の部屋に分割し、各部屋の吸引力を調整することにより、吸着力の分布を調整する。
【０２１２】
図１７は、画像記録部の用紙搬送機構の第２の実施の形態の下面図である。また、図１８は、第２の実施の形態の用紙搬送機構に組み込まれるバックテンション付与装置の概略構成図である。
【０２１３】
なお、バックテンション付与装置以外の構成は、上述した第１の実施の形態の用紙搬送機構と同じなので、ここではバックテンション付与装置についてのみ説明する。
【０２１４】
本実施の形態のバックテンション付与装置４００も、主として、用紙ガイド４１０と、吸引ユニット４３０とで構成される。
【０２１５】
用紙ガイド４１０は、用紙Ｐの搬送方向と平行な方向の断面が台形状をした中空のボックス形状（末広がりのボックス状）に形成される。用紙ガイド４１０は、用紙幅に対応して形成される。したがって、その幅（用紙Ｐの搬送方向と直交する方向の幅）は、画像記録ドラム４１の幅とほぼ同じ幅で形成される。
【０２１６】
用紙ガイド４１０は、画像記録ドラム４１と対向する面に用紙Ｐを吸着するための吸着面４１６が形成される。吸着面４１６は平坦に形成される。用紙Ｐは、この吸着面上を吸引されながら摺動する。
【０２１７】
上記第１の実施の形態と同様に、用紙ガイド４１０は、押圧ローラ４２に近接して設置される。また、吸着面４１６が、押圧ローラ４２の設置点における画像記録ドラム４１の接線に沿うようにして配置される（図４参照）。
【０２１８】
図１７に示すように、吸着面４１６には、多数の吸着孔４１８が形成される。各吸着孔４１８は、同一形状で形成される（同じ開口面積で形成される。）。また、各吸着孔４１８は、用紙Ｐの搬送方向に一定ピッチ（ｄｖ＝一定）で配置されるとともに、用紙Ｐの搬送方向と直交する方向（吸着面４１６の幅方向）に一定のピッチ（ｄｈ＝一定）で配置される。すなわち、同じサイズの吸着孔４１８が吸着面４１６の全面に均等に配置される。
【０２１９】
用紙ガイド４１０の内部空間は吸引室４２０とされ、吸着面４１６の幅とほぼ同じ幅で形成される。各吸着孔４１８は、この吸引室４２０に連通して形成される。
【０２２０】
吸引室４２０は、複数の仕切壁４２２Ａ〜４２２Ｆによって、複数の部屋４２０Ａ〜４２０Ｇに分割される。仕切壁４２２Ａ〜４２２Ｆは、用紙Ｐの搬送方向に沿って配置（吸着面の幅方向と直交する方向に配置）され、吸引室４２０を幅方向に沿って複数の部屋４２０Ａ〜４２０Ｇに分割する。本例では、６つの仕切壁４２２Ａ〜４２２Ｆによって、７つの部屋４２０Ａ〜４２０Ｇに分割され、左右対称に配置されている。
【０２２１】
各部屋４２０Ａ〜４２０Ｇは、同じサイズで形成され、各々独立して形成される。吸着面４１６に形成される吸着孔４１８は、いずれかの部屋４２０Ａ〜４２０Ｇに連通される。すなわち、各部屋４２０Ａ〜４２０Ｇの形成領域に配置される吸着孔４１８が、各部屋４２０Ａ〜４２０Ｇに個別に連通される。したがって、たとえば、部屋４２０Ａの形成領域に配置される吸着孔４１８は、部屋４２０Ａにのみ連通される。
【０２２２】
用紙ガイド４１０の上面（吸着面４１６と反対側の面）には、各部屋４２０Ａ〜４２０Ｇに対応して、個別吸引口４２４Ａ〜４２４Ｇが形成される。各個別吸引口４２４Ａ〜４２４Ｇは、対応する部屋４２０Ａ〜４２０Ｇに個別に連通される。この個別吸引口４２４Ａ〜４２４Ｇから空気を吸引することにより、各部屋４２０Ａ〜４２０Ｇが個別に吸引され、各部屋４２０Ａ〜４２０Ｇに対応する吸着孔４１８から空気が吸引される。
【０２２３】
吸引ユニット４３０は、用紙ガイド４１０の各部屋４２０Ａ〜４２０Ｂを個別に吸引する。吸引ユニット４３０は、部屋ごとに設けられる個別吸引ポンプ４３２Ａ〜４３２Ｇと、部屋ごとに設けられる個別吸引管４３４Ａ〜４３４Ｇと、個別吸引管４３４Ａ〜４３４Ｇごとに設けられる個別吸引バルブ４３６Ａ〜４３６Ｇとを備えて構成される。
【０２２４】
個別吸引ポンプ４３２Ａ〜４３２Ｇは、真空ポンプで構成される。各個別吸引ポンプ４３２Ａ〜４３２Ｇの駆動は、画像記録制御部２０６を介してシステムコントローラ２００に制御される。
【０２２５】
個別吸引管４３４Ａ〜４３４Ｇは、個別吸引ポンプ４３２Ａ〜４３２Ｇと用紙ガイド４１０の各部屋４２０Ａ〜４２０Ｇとを接続する。各個別吸引管４３４Ａ〜４３４Ｇは、一端が個別吸引ポンプ４３２Ａ〜４３２Ｇの吸込口に接続され、他端が各部屋４２０Ａ〜４２０Ｇに対応して設けられた個別吸引口４２４Ａ〜４２４Ｇに接続される。
【０２２６】
個別吸引バルブ４３６Ａ〜４３６Ｇは、各個別吸引管４３４Ａ〜４３４Ｇの管路の途中に設置される。各個別吸引バルブ４３６Ａ〜４３６Ｇは、開口量が調整可能に形成される。各個別吸引バルブ４３６Ａ〜４３６Ｇの開口量は、画像記録制御部２０６を介してシステムコントローラ２００に制御される。
【０２２７】
各個別吸引ポンプ４３２Ａ〜４３２Ｇを駆動すると、各個別吸引管４３４Ａ〜４３４Ｇを介して各部屋４２０Ａ〜４２０Ｇが真空吸引される（各部屋４２０Ａ〜４２０Ｇが負圧にされる。）。これにより、吸着面４１６に形成された各吸着孔４１８からエアが吸引される。
【０２２８】
ここで、各個別吸引ポンプ４３２Ａ〜４３２Ｇと各部屋４２０Ａ〜４２０Ｇとを繋ぐ個別吸引管４３４Ａ〜４３４Ｇには、それぞれ個別に個別吸引バルブ４３６Ａ〜４３６Ｇが設けられており、この個別吸引バルブ４３６Ａ〜４３６Ｇの開口量を個別に制御することにより、各部屋４２０Ａ〜４２０Ｇの吸引力を個別に制御することができる。そして、この各部屋４２０Ａ〜４２０Ｇの吸引力を個別に制御することにより、各部屋４２０Ａ〜４２０Ｇに連通される吸着孔４１８からの吸引力を制御することができる。したがって、各部屋４２０Ａ〜４２０Ｇの吸引力を調整することにより、用紙Ｐに作用させる吸着力を幅方向で異なる値に制御することができる。
【０２２９】
上記のように、吸着面４１６で用紙Ｐに作用させる吸着力は、幅方向の中央から幅方向の両端に向かって小さくなるように設定することにより、シワを幅方向に分散させることができる。
【０２３０】
したがって、吸引時は、幅方向の両端側に配置される部屋ほど吸引力が低くなるように、個別吸引バルブ４３６Ａ〜４３６Ｇの開口量を個別に制御する。本例では、吸引室４２０が７つの部屋４２０Ａ〜４２０Ｇに分割され、部屋４２０Ｄが中央に配置されているので、中央の部屋４２０Ｄの吸引力が最も高くなり、以下、部屋４２０Ｃ、４２０Ｅ→部屋４２０Ｂ、４２０Ｆ→部屋４２０Ａ、４２０Ｇの順で吸引力が低くなるように、個別吸引バルブ４３６Ａ〜４３６Ｇの開口量を調整する。
【０２３１】
これにより、上記第１の実施の形態と同様に、シワを幅方向に分散させながら用紙Ｐを伸ばすことができ、シワや浮き等を生じさせることなく、用紙Ｐを画像記録ドラム４１に巻き付けることができる。
【０２３２】
なお、上記実施の形態では、個別吸引バルブ４３６Ａ〜４３６Ｇの開口量を個別に制御して、各部屋４２０Ａ〜４２０Ｇの吸引力を制御する構成としているが、各個別吸引ポンプ４３２Ａ〜４３２Ｇの吸引力を個別に制御して、各部屋４２０Ａ〜４２０Ｇの吸引力を制御する構成とすることもできる。
【０２３３】
〈その他の形態〉
上記実施の形態では、部屋４２０Ａ〜４２０Ｇごとに個別吸引ポンプ４３２Ａ〜４３２Ｇを設ける構成としているが、図１９に示すように、１つのポンプで各部屋４２０Ａ〜４２０Ｇを吸引する構成とすることもできる。
【０２３４】
この場合、同図に示すように、各部屋４２０Ａ〜４２０Ｇに接続された個別吸引管４３４Ａ〜４３４Ｇを分岐管（マニホールド）４４０で結束して共通吸引管４４２に接続し、この共通吸引管４４２を共通吸引ポンプ４３８に接続する。各部屋４２０Ａ〜４２０Ｇの吸引力の調整は、各部屋４２０Ａ〜４２０Ｇの個別吸引管４３４Ａ〜４３４Ｇに設けられた個別吸引バルブ４３６Ａ〜４３６Ｇの開口量を個別に制御することにより行われる。
【０２３５】
この構成によれば、部屋ごとに吸引ポンプを設置する必要がないので、装置構成を簡略化することができる。
【０２３６】
〈用紙に応じた吸着力の制御〉
上記のように、本実施の形態のバックテンション付与装置４００では、各部屋４２０Ａ〜４２０Ｇに対応して設けられる個別吸引バルブ４３６Ａ〜４３６Ｇの開口量を調整することにより、用紙Ｐに作用させる吸着力をコントロールすることができる。用紙Ｐに作用させる吸着力を用紙の種類等に応じて変えることにより、より効果的にシワ等の発生を防止することができる。
【０２３７】
図２０は、用紙の種類等に応じて用紙に作用させる吸着力をコントロールするためのシステムの構成図である。
【０２３８】
上記のように、用紙Ｐは、その種類等に応じて、作用させる吸着力を変えることにより、より効果的にシワ等の発生を防止することができる。
【０２３９】
たとえば、用紙Ｐの種類や厚さ、透気度、印刷済み用紙か否か（両面印刷する場合の裏面側の印刷か否か）等に応じて、作用させる吸着力の強さ、分布等を設定することができる。これらの情報は、たとえば、事前にユーザが操作部２１０から入力して設定する。すなわち、用紙Ｐの種類や厚さ、透気度、印刷済み用紙か否か等の情報を事前にユーザが操作部２１０から入力し、入力された情報に基づいて吸着力の強さ、分布等を設定する。設定すべき吸着力の強さや分布等は事前に定めておき、メモリに格納しておく。たとえば、設定可能な用紙の厚さごとに設定すべき吸着力の強さや分布を定めておき、メモリに格納しておく。複数の情報を組み合わせて設定する場合には、組み合わせごとに設定すべき吸着力の強さや分布を定めておき、メモリに格納しておく。システムコントローラ２００は、このメモリに格納された情報を参照して、入力された情報から吸着力を設定する。
【０２４０】
また、用紙Ｐの種類や厚さ、透気度、印刷済み用紙か否か等を自動的に検出する手段をインクジェット記録装置に備えれば、これらの検出手段から取得した情報に基づいて、吸着力を設定することができる。
【０２４１】
たとえば、用紙Ｐの厚さを検出する用紙厚検出手段２２０を設けた場合には、この用紙厚検出手段２２０から得られる情報（用紙Ｐの厚さ情報）に基づいて、吸着力を設定することができる。用紙厚検出手段２２０には、公知のものを使用することができ、たとえば、給紙部２０に設置することができる。
【０２４２】
また、たとえば、用紙Ｐの透気度を検出する透気度検出手段２３０を設けた場合には、この透気度検出手段２３０から得られる情報（用紙Ｐの透気度の情報）に基づいて、吸着力を設定することができる。透気度の検出は、たとえば、用紙Ｐの表面からエアを吹き当て、裏面への透過量を検出することにより行うことができる。
【０２４３】
また、たとえば、用紙Ｐの裏面（印刷される面と反対側の面）を撮影する手段（たとえば、カメラやスキャナなど）を設けた場合には、この撮影手段から得られる情報に基づいて、印刷済み用紙か否かを検出することができ、この情報に基づいて、吸着力を設定することができる。
【０２４４】
このように、用紙の情報を検出するための各種検出手段を設けることにより、その検出手段から得られる情報を用いて、最適な吸着力（強さ、分布等）を自動的に設定することができる。なお、このように自動的に設定する場合も、用紙の幅方向の中央から両端に向かって吸着力が弱くなるように設定する。これにより、シワを幅方向に分散させながら用紙を伸ばすことができる。
【０２４５】
なお、上記実施の形態では、吸引室４２０を７分割しているが、吸引室４２０を分割する数は、これに限定されるものではない。更に多くの数の部屋に分割することもできし、また、より少ない部屋の数に分割することもできる。この際、奇数に分割し、かつ、左右対称になるように分割することが好ましい。これにより、容易に所望の吸着力の分布（中央部を最も高い吸着力とし、両端に向かって吸着力が低くなるような分布）を形成することができる。
【０２４６】
また、上記実施の形態では、各部屋４２０Ａ〜４２０Ｇごとに設けられる個別吸引バルブ４３６Ａ〜４３６Ｇの開口量を調整して、各部屋４２０Ａ〜４２０Ｇの吸引力を個別に調整する構成としているが、各部屋４２０Ａ〜４２０Ｇごとに設けられる個別吸引ポンプ４３２Ａ〜４３２Ｇの駆動を制御して、各部屋４２０Ａ〜４２０Ｇの吸引力を個別に調整する構成とすることもできる。
【０２４７】
また、本実施の形態では、吸着孔４１８の形状を円形状としているが、吸着孔の形状は、これに限定されるものではない。たとえば、楕円形状、多角形状、スリット状等に形成することもできる。また、本例の場合も、各吸着孔を複数の小径の孔の集合によって形成することができる（図１２参照）。これにより、用紙Ｐが吸着孔に沿って変形し、吸着孔の痕が残るのを防止することができる。
【０２４８】
［第３の実施の形態］
上記第２の実施の形態では、吸着室を複数の部屋に分割し、各部屋４２０Ａ〜４２０Ｇごとに設けられる個別吸引バルブ４３６Ａ〜４３６Ｇの開口量を調整して、各部屋４２０Ａ〜４２０Ｇの吸引力を個別に調整する構成としている。
【０２４９】
本実施の形態では、吸着室を仕切壁によって複数の部屋に分割するとともに、隣り合う各部屋同士を仕切壁に設けられた連通口で連通し、その連通口の開口面積を変えることにより、各部屋の吸引力を調整する。
【０２５０】
なお、バックテンション付与装置以外の構成は、上述した第２の実施の形態の用紙搬送機構と同じなので、ここではバックテンション付与装置についてのみ説明する。
【０２５１】
図２１は、第３の実施の形態の用紙搬送機構に組み込まれるバックテンション付与装置の概略構成図。
【０２５２】
本実施の形態のバックテンション付与装置５００も、主として、用紙ガイド５１０と、吸引ユニット５３０とで構成される。
【０２５３】
用紙ガイド５１０は、用紙Ｐの搬送方向と平行な方向の断面が台形状をした中空のボックス形状（末広がりのボックス状）に形成される。用紙ガイド５１０は、用紙幅に対応して形成される。したがって、その幅（用紙Ｐの搬送方向と直交する方向の幅）は、画像記録ドラム４１の幅とほぼ同じ幅で形成される。
【０２５４】
用紙ガイド５１０は、画像記録ドラム４１と対向する面に用紙Ｐを吸着するための吸着面５１６が形成される。吸着面５１６は平坦に形成される。用紙Ｐは、この吸着面上を吸引されながら摺動する。
【０２５５】
上記第２の実施の形態と同様に、用紙ガイド５１０は、押圧ローラ４２に近接して設置される。また、吸着面５１６が、押圧ローラ４２の設置点における画像記録ドラム４１の接線に沿うようにして配置される（図４参照）。
【０２５６】
上記第２の実施の形態の用紙ガイド４１０の吸着面４１６と同様に、吸着面５１６には、多数の吸着孔５１８が形成される（図１７参照）。各吸着孔５１８は、同一形状で形成される（同じ開口面積で形成される。）。また、各吸着孔５１８は、用紙Ｐの搬送方向に一定ピッチで配置されるとともに、用紙Ｐの搬送方向と直交する方向（吸着面５１６の幅方向）に一定のピッチで配置される。すなわち、同じサイズの吸着孔５１８が吸着面５１６の全面に均等に配置される。
【０２５７】
用紙ガイド５１０の内部空間は吸引室５２０とされ、吸着面５１６の幅とほぼ同じ幅で形成される。各吸着孔５１８は、この吸引室５２０に連通して形成される。
【０２５８】
吸引室５２０は、複数の仕切壁５２２Ａ〜５２２Ｆによって、複数の部屋５２０Ａ〜５２０Ｇに分割される。仕切壁５２２Ａ〜５２２Ｆは、用紙Ｐの搬送方向に沿って配置（吸着面の幅方向と直交する方向に配置）され、吸引室５２０を幅方向に沿って複数の部屋５２０Ａ〜５２０Ｇに分割する。本例では、６つの仕切壁５２２Ａ〜５２２Ｆによって、７つの部屋５２０Ａ〜５２０Ｇに分割され、左右対称に配置されている。この仕切壁５２２Ａ〜５２２Ｆには、それぞれ連通口５２６Ａ〜５２６Ｆが形成され、隣り合う部屋同士を連通する。すなわち、たとえば、部屋５２０Ａと部屋５２０Ｂとは、仕切壁５２２Ａに形成される連通口５２６Ａによって連通され、部屋５２０Ｂと部屋５２０Ｃとは、仕切壁５２２Ｂに形成される連通口５２６Ｂによって連通される。このように、隣り合う部屋同士が、部屋と部屋とを仕切る仕切壁に形成された連通口５２６Ａ〜５２６Ｆによって連通される。
【０２５９】
各部屋５２０Ａ〜５２０Ｇは、同じサイズで形成され、各々独立して形成される。吸着面５１６に形成される吸着孔５１８は、いずれかの部屋５２０Ａ〜５２０Ｇに連通される。すなわち、各部屋５２０Ａ〜５２０Ｇの形成領域に配置される吸着孔５１８が、各部屋５２０Ａ〜５２０Ｇに個別に連通される。したがって、たとえば、部屋５２０Ａの形成領域に配置される吸着孔５１８は、部屋５２０Ａにのみ連通される。
【０２６０】
用紙ガイド５１０の上面（吸着面４１６と反対側の面）には、幅方向の中央に吸引口５２４が形成される。この吸引口５２４は、中央の部屋５２０Ｄに連通される。したがって、この吸引口５２４から空気を吸引すると、中央の部屋５２０Ｄが吸引される（負圧にされる。）。
【０２６１】
上記のように、隣り合う部屋同士は仕切壁５２２Ａ〜５２２Ｆに形成された連通口５２６Ａ〜５２６Ｆによって連通されているので、中央の部屋５２０Ｄが吸引されると、連通口５２６Ａ〜５２６Ｆを介して、すべての部屋が吸引される。
【０２６２】
ここで、各仕切壁５２２Ａ〜５２２Ｆに形成される連通口５２６Ａ〜５２６Ｆは、異なる開口面積で形成され、中央から両端に向かって開口面積が漸次小さくなるように形成される。すなわち、最も中央に位置する仕切壁５２２Ｃ、５２２Ｄの開口面積が大きくなり、両端に位置する仕切壁５２２Ａ、５２２Ｆの開口面積が最も小さくなるように形成される（各仕切壁５２２Ａ〜５２２Ｆに形成される連通口５２６Ａ〜５２６Ｆの開口面積をそれぞれ、Ｓａ〜Ｓｆとすると、Ｓｃ、Ｓｄ＞Ｓｂ、Ｓｅ＞Ｓａ、Ｓｆ）。
【０２６３】
このように、各仕切壁５２２Ａ〜５２２Ｆに形成される連通口５２６Ａ〜５２６Ｆの開口面積を幅方向の中央から両端に向かって漸次小さくなるように形成することにより、各部屋５２０Ａ〜５２０Ｇの吸引力が、幅方向の中央から両端に向かって漸次減少する。これにより、用紙の吸着力が、幅方向の中央から幅方向の両端に向かって減少する。
【０２６４】
吸引ユニット５３０は、用紙ガイド５１０の吸引室内を吸引する。吸引ユニット５３０は、吸引ポンプ５３２と、吸引管５３４と、吸引バルブ５３６とを備えて構成される。
【０２６５】
吸引ポンプ５３２は、真空ポンプで構成される。吸引ポンプ５３２の駆動は、画像記録制御部２０６を介してシステムコントローラ２００に制御される。
【０２６６】
吸引管５３４は、吸引ポンプ５３２と用紙ガイド５１０とを接続する。吸引管５３４は、一端が吸引ポンプ５３２の吸込口に接続され、他端が用紙ガイド５１０の吸引口５２４に接続される。
【０２６７】
吸引バルブ５３６は、吸引管５３４の管路の途中に設置される。吸引バルブ５３６は、開口量が調整可能に形成される。吸引バルブ５３６の開口量は、画像記録制御部２０６を介してシステムコントローラ２００に制御される。
【０２６８】
吸引ポンプ５３２を駆動すると、吸引管５３４を介して中央の部屋５２０Ｄが真空吸引される。上記のように、隣り合う部屋同士は仕切壁５２２Ａ〜５２２Ｆに形成された連通口５２６Ａ〜５２６Ｆによって連通されているので、中央の部屋５２０Ｄが吸引されると、連通口５２６Ａ〜５２６Ｆを介して、すべての部屋が吸引される。
【０２６９】
また、各仕切壁５２２Ａ〜５２２Ｆに形成される連通口５２６Ａ〜５２６Ｆは、中央から両端に向かって開口面積が漸次小さくなるように形成されているので、各部屋５２０Ａ〜５２０Ｇの吸引力は、幅方向の中央から両端に向かって漸次減少する。これにより、吸着面５１６で用紙Ｐに作用する吸着力が、幅方向の中央から幅方向の両端に向かって減少する。
【０２７０】
このように、本実施の形態のバックテンション付与装置５００においても、用紙Ｐに作用させる吸着力に所望の分布（幅方向の中央から幅方向の両端に向かって漸次小さくなるような分布）を持たせることができる。これにより、上記第１、第２の実施の形態と同様に、シワを幅方向に分散させながら用紙Ｐを伸ばすことができ、シワや浮き等を生じさせることなく、用紙Ｐを画像記録ドラム４１に巻き付けることができる。
【０２７１】
なお、上記実施の形態では、吸引室５２０を７分割しているが、吸引室５２０を分割する数は、これに限定されるものではない。更に多くの数の部屋に分割することもできし、また、より少ない部屋の数に分割することもできる。この際、奇数に分割し、かつ、左右対称になるように分割することが好ましい。これにより、容易に所望の吸着力の分布（中央部を最も高い吸着力とし、両端に向かって吸着力が低くなるような分布）を形成することができる。
【０２７２】
また、上記実施の形態では、各連通口５２６Ａ〜５２６Ｆを１つの孔で形成しているが、複数の孔で形成してもよい。複数の孔で形成する場合は、開口面積の合計が、中央から両端に向かって漸次減少するように形成する。
【０２７３】
また、本実施の形態では、吸着孔５１８の形状を円形状としているが、吸着孔の形状は、これに限定されるものではない。たとえば、楕円形状、多角形状、スリット状に形成することもできる。また、本例の場合も、各吸着孔を複数の小径の孔の集合によって形成することができる（図１２参照）。これにより、用紙Ｐが吸着孔に沿って変形し、吸着孔の痕が残るのを防止することができる。
【０２７４】
また、上記実施の形態では、仕切壁５２２Ａ〜５２２Ｆが用紙ガイド３１０に一体的に形成される例で説明したが、仕切壁を交換できるようにしてもよい（仕切壁の部分を着脱可能かつ交換可能に構成する。）。これにより、用紙に応じて連通口のサイズを変えることができ、用紙ごとに適切な吸着力を付与することができる。
【０２７５】
たとえば、連通口の開口面積が異なる仕切壁を複数用意し、用紙Ｐの種類、厚さ、透気度、印刷済み用紙か否か等に応じて、使用する仕切壁を交換するようにしてもよい。
【０２７６】
この他、各仕切壁５２２Ａ〜５２２Ｆに形成される連通口を拡縮可能に形成し（たとえば、アイリス機構等の開口面積の調整機構を設ける）、連通口の開口面積を調整できるようにしても、同様の効果を得ることができる。
【０２７７】
［その他の実施の形態］
上記実施の形態では、用紙Ｐが押圧ローラ４２によって押圧される直前の位置で用紙Ｐの表面を吸着して、用紙Ｐにバックテンションを付与する構成としているが、用紙Ｐの裏面を吸着して、用紙Ｐにバックテンションを付与する構成とすることもできる。たとえば、渡し胴８０の下部には配設されるガイド板８２のガイド面に複数の吸着孔を形成し、この吸着孔から用紙Ｐの裏面を吸着して、用紙Ｐにバックテンションを付与する構成とすることもできる。この場合も用紙Ｐの幅方向の中央から幅方向の両端に向かって吸引力が小さくなるように形成する。これにより、シワを幅方向に分散させながら用紙Ｐを伸ばすことができ、シワや浮きを生じさせることなく、用紙Ｐを画像記録ドラム４１に巻き付けることができる。
【０２７８】
なお、本実施の形態のように、用紙Ｐの表面を吸着することにより、たとえば、印刷済みの用紙の場合であっても、印刷済みの画像を傷つけずにバックテンションを付与することができる。また、用紙Ｐが画像記録ドラム４１に巻き付けられる直前の位置（押圧ローラ４２によるニップ位置）まで用紙Ｐを保持できるので、より効果的にシワ、浮きの発生を防止できる。
【０２７９】
また、上記実施の形態では、押圧ローラ４２が、いわゆるストレート形状（外径が一定の形状）に形成されているが、いわゆるクラウン形状（外径が中央から両端に向かって小さくなる形状）に形成されたものを使用することもできる。このような形状の押圧ローラ４２で用紙Ｐの表面を押圧することにより、用紙Ｐを幅方向に伸ばしながら、用紙Ｐを押圧することができる。
【０２８０】
また、上記実施の形態では、用紙ガイドの吸着面の形状を平坦としているが、吸着面の形状は、これに限定されるものではない。たとえば、円弧状に形成するようにしてもよい。この場合、前後方向（用紙Ｐの搬送方向と平行な方向）の断面の形状が、画像記録ドラム側に凸となる円弧状に形成してもよいし、前後方向の断面の形状が、画像記録ドラムと反対側に凹となる円弧状に形成してもよい。また、幅方向（用紙Ｐの搬送方向と直交する方向）の断面の形状が、画像記録ドラム側に凸となる円弧状に形成してもよいし、幅方向の断面形状が、画像記録ドラムと反対側に凹となる円弧状に形成してもよい。また、前後方向と幅方向のそれぞれに円弧状に形成するようにしてもよい。
【０２８１】
また、上記実施の形態では、画像記録ドラム４１の用紙搬送機構に本発明を適用した場合を例に説明したが、他の用紙搬送機構にも本発明を適用することができる。たとえば、処理液塗布部３０の用紙搬送機構にも適用することができる。この場合、塗布装置３２（塗布ローラ）の直前位置にバックテンション付与装置を設置する。これにより、塗布ローラによって押圧される用紙Ｐにシワが発生するのを防止することができる。
【符号の説明】
【０２８２】
１０…インクジェット記録装置、２０…給紙部、２１…給紙装置、２２…給紙トレイ、２３…渡し胴、３０…処理液塗布部、３１…搬送ドラム（処理液塗布ドラム）３２…塗布装置、４０…画像記録部、４１…搬送ドラム（画像記録ドラム）、４２…押圧ローラ、４３…用紙浮き検出センサ、４３Ａ…レーザ投光器、４３Ｂ…レーザ受光器、４４Ｃ、４４Ｍ、４４Ｙ、４４Ｋ…インクジェットヘッド、５０…インク乾燥部、５１…搬送ドラム（インク乾燥ドラム）、５２…インク乾燥装置、６０…定着部、６１…搬送ドラム（定着ドラム）、６２…紫外線照射光源、６４…インラインセンサ、７０…回収部、７１…スタッカ、７２…排紙コンベア、８０…渡し胴、８２…ガイド板、８４…ドライヤ、９０…渡し胴、９２…ガイド板、９４…ドライヤ、１００…渡し胴、１０２…ガイド板、１０４…ドライヤ、２００…システムコントローラ、２０１…通信部、２０２…画像メモリ、２０３…搬送制御部、２０４…給紙制御部、２０５…処理液塗布制御部、２０６…画像記録制御部、２０７…インク乾燥制御部、２０８…定着制御部、２０９…回収制御部、２１０…操作部、２１１…表示部、２２０…用紙厚検出手段、２３０…透気度検出手段、３００…バックテンション付与装置、３１０…用紙ガイド、３１６…吸着面、３１８…吸着孔、３１８Ａ…吸着孔を構成する小径の孔、３２０…吸引室、３２２…吸引口、３３０…吸引ユニット、３３２…吸引ポンプ、３３４…吸引管、３３６…吸引バルブ、４００…バックテンション付与装置、４１０…用紙ガイド、４１６…吸着面、４１８…吸着孔、４２０…吸引室、４２０Ａ〜４２０Ｇ…部屋、４２２Ａ〜４２２Ｆ…仕切壁、４２４Ａ〜４２４Ｇ…個別吸引口、４３０…吸引ユニット、４３２Ａ〜４３２Ｇ…個別吸引ポンプ、４３４Ａ〜４３４Ｇ…個別吸引管、４３６Ａ〜４３６Ｇ…個別吸引バルブ、４３８…共通吸引ポンプ、４４０…分岐管、４４２…共通吸引管、５００…バックテンション付与装置、５１０…用紙ガイド、５１６…吸着面、５１８…吸着孔、５２０…吸引室、５２０Ａ〜５２０Ｇ…部屋、５２２Ａ〜５２２Ｆ…仕切壁、５２４…吸引口、５２６Ａ〜５２６Ｆ…連通口、５３０…吸引ユニット、５３２…吸引ポンプ、５３４…吸引管、５３６…吸引バルブ、Ｇ…グリッパ、Ｐ…用紙、Ａ…受取位置、Ｂ…吸着開始位置、Ｃ…吸着終了位置
【図１】
0005543988.tif 000002
【図２】
0005543988.tif 000003
【図３】
0005543988.tif 000004
【図４】
0005543988.tif 000005
【図５】
0005543988.tif 000006
【図６】
0005543988.tif 000007
【図７】
0005543988.tif 000008
【図８】
0005543988.tif 000009
【図９】
0005543988.tif 000010
【図１０】
0005543988.tif 000011
【図１１】
0005543988.tif 000012
【図１２】
0005543988.tif 000013
【図１３】
0005543988.tif 000014
【図１４】
0005543988.tif 000015
【図１５】
0005543988.tif 000016
【図１６】
0005543988.tif 000017
【図１７】
0005543988.tif 000018
【図１８】
0005543988.tif 000019
【図１９】
0005543988.tif 000020
【図２０】
0005543988.tif 000021
【図２１】
0005543988.tif 000022